(57)【要約】【課題】カラー印刷をするつもりがないのにカラーで印刷したり、モノクロ印刷をするつもりがないのにモノクロで印刷をしたりすることを防止する印刷装置を実現する。【解決手段】画像処理装置１０２は、カラー設定がフルカラーモードまたはモノクロモードの場合に、入力されたカラー画像データがカラー原稿を表わすかモノクロ原稿を表わすかを判定するカラーモノクロ判定部５１を備え、カラー設定がフルカラーモードの場合においてカラー画像データがモノクロ原稿を表わすと判定されたとき、またはカラー設定がモノクロモードの場合においてカラー画像データがカラー原稿を表わすと判定されたときに、制御部１０８がその旨を示すメッセージを画像表示装置１０４に表示する。【選択図】図１
2010212813.tif 000002
【特許請求の範囲】
【請求項１】
画像読取装置にて原稿の画像をカラーとして読み取ることにより得られたカラー画像データから、画像印刷ジョブ、画像送信ジョブ、画像ファイリングジョブのうちのいずれかのジョブで取り扱われる出力画像データを生成して当該ジョブを実行するジョブ装置に出力する出力制御手段を備えた画像処理装置であって、
上記カラー画像データがカラー原稿を表わすかモノクロ原稿を表わすかを判定するカラーモノクロ判定手段を備え、
上記出力制御手段は、指示されたカラー設定がカラーで出力する設定の場合において上記カラー画像データがモノクロ原稿を表わすと上記カラーモノクロ判定手段が判定したとき、または上記カラー設定がモノクロで出力する設定の場合において上記カラー画像データがカラー原稿を表わすと上記カラーモノクロ判定手段が判定したときに、その旨を通知するための情報を出力装置に出力することを特徴とする画像処理装置。
【請求項２】
上記カラー画像データに含まれている有彩色の画素の数を算出する有彩画素数算出手段をさらに備え、
上記出力制御手段は、上記カラー設定がカラーで出力する設定の場合において、上記カラー画像データがカラー原稿を表わすと上記カラーモノクロ判定手段が判定し、かつ、上記有彩画素数算出手段が算出した有彩色の画素の数が第１の閾値未満であるときに、その旨を通知するための情報を上記出力装置に出力することを特徴とする請求項１に記載の画像処理装置。
【請求項３】
上記カラーモノクロ判定手段は、上記カラー画像データに含まれている有彩色の画素の数が上記第１の閾値より小さい第２の閾値以上であるか否かに基づいて、上記カラー画像データがカラー原稿を表わすかモノクロ原稿を表わすかを判定することを特徴とする請求項２に記載の画像処理装置。
【請求項４】
上記出力制御手段は、上記出力画像データとは別に、上記カラー画像データから、画像表示装置で表示するための上記カラー設定に従った表示用画像データを生成し、当該画像表示装置に出力することを特徴とする請求項１から３のいずれか１項に記載の画像処理装置。
【請求項５】
上記カラー設定がカラーで出力する設定の場合でおいて上記カラー画像データがモノクロ原稿を表わすと上記カラーモノクロ判定手段が判定したときに上記カラー設定を変更する旨の指示を受け付けると、上記カラー設定をモノクロで出力する設定に変更し、上記カラー設定がモノクロで出力する設定の場合であって上記カラー画像データがカラー原稿を表わすと上記カラーモノクロ判定手段が判定した場合に上記指示を受け付けると、上記カラー設定をカラーで出力する設定に変更するカラー設定変更手段をさらに備えていることを特徴とする請求項１から４のいずれか１項に記載の画像処理装置。
【請求項６】
上記出力制御手段は、上記カラー設定がカラーで出力する設定の場合において上記カラー画像データがモノクロ原稿を表わすと上記カラーモノクロ判定手段が判定したときに、上記カラー設定をモノクロで出力する設定に変更する指示の入力を促すための情報を上記出力装置に出力し、上記カラー設定がモノクロで出力する設定の場合に上記カラー画像データがカラー原稿を表わすと上記カラーモノクロ判定手段が判定したときに、上記カラー設定をカラーで出力する設定に変更する指示の入力を促すための情報を上記出力装置に出力することを特徴とする請求項１から４のいずれか１項に記載の画像処理装置。
【請求項７】
請求項１から６のいずれか１項に記載の画像処理装置、画像読取装置、および出力装置を備えていることを特徴とする画像読取処理装置。
【請求項８】
請求項１から６のいずれか１項に記載の画像処理装置およびジョブ装置を有し、上記ジョブ装置が印刷装置であることを特徴とする画像形成装置。
【請求項９】
画像読取装置にて原稿の画像をカラーとして読み取ることにより得られたカラー画像データから、画像印刷ジョブ、画像送信ジョブ、画像ファイリングジョブのうちのいずれかのジョブで取り扱われる出力画像データを生成して当該ジョブを実行するジョブ装置に出力する出力制御工程を含んだ画像処理方法であって、
上記カラー画像データがカラー原稿を表わすかモノクロ原稿を表わすかを判定するカラーモノクロ判定工程を含み、
上記カラーモノクロ判定工程において、指示されたカラー設定がカラーで出力する設定の場合において上記カラー画像データがモノクロ原稿を表わすと判定されたとき、または上記カラー設定がモノクロで出力する設定の場合において上記カラー画像データがカラー原稿を表わすと判定されたときに、上記出力制御工程においてその旨を通知するための情報を出力装置に出力することを特徴とする画像処理方法。
【請求項１０】
請求項１から６のいずれか１項に記載の画像処理装置を動作させるプログラムであって、コンピュータを上記の各手段として機能させるための画像処理プログラム。
【請求項１１】
請求項１０に記載の画像処理プログラムを記録しているコンピュータ読み取り可能な記録媒体。
【発明の詳細な説明】
【技術分野】
【０００１】
本発明は、指示されたカラー設定に従って入力画像データに画像処理を施し、出力画像データを出力する画像処理装置、画像読取処理装置、画像形成装置、画像処理方法、画像処理プログラムおよびコンピュータ読み取り可能な記録媒体に関するものである。
【背景技術】
【０００２】
複写機や複合機などの画像形成装置は、原稿種別や設定条件（印刷濃度，変倍処理の倍率，片面印刷または両面印刷，余白サイズ等）に応じて、印刷対象の画像を示す画像データに画像処理を施す。さらに、画像形成装置には、上記画像処理が施された画像データに基づいて、印刷対象の画像のプレビューを表示装置の表示部に表示するものも存在する。なお、プレビュー表示の形態には、印刷対象の画像を表示部に１頁ずつ表示する形態や、複数頁からなる印刷対象の画像を一度に表示部に表示する形態がある。
【０００３】
また、画像形成装置には、利用者から指示されたカラー設定に従って、印刷出力される画像の色を変更する機能を有するものがある。この場合、利用者は、カラー設定としてフルカーモード、モノクロモードなどを設定する。ただし、原稿がカラーであるのかモノクロであるのかを利用者が把握していない場合がある。そのため、原稿がカラー原稿であるのか、モノクロ原稿であるのかを自動的に判定する自動カラー選択（Ａｕｔｏ  Ｃｏｌｏｒ  Ｓｅｌｅｃｔｉｏｎ：ＡＣＳ）機能を有するものがある。例えば、特許文献１には、自動カラー選択モード（ＡＣＳモード）が設定されたときのみＡＣＳ処理を行う画像形成装置が開示されている。また、特許文献２には、画像形成時に利用者が、自動カラー選択モード、フルカラーモード、または白黒モードのいずれかを明示的に指定しなかったときに画像形成に使用されるモード（標準のモード）を指定することが可能な画像形成装置が記載されている。
【先行技術文献】
【非特許文献】
【０００４】
【特許文献１】特開２００１−８３７５９号公報（平成１３年３月３０日公開）
【特許文献２】特開２００４−４６２２号公報（平成１６年１月８日公開）
【発明の概要】
【発明が解決しようとする課題】
【０００５】
しかしながら、上記従来の構成では、利用者がフルカラー印刷をするつもりがないのに白黒原稿を誤ってフルカラーで印刷したり、モノクロ印刷をするつもりがないのにカラー原稿を誤ってモノクロで印刷したりしてしまうという問題を生ずる。また、上記従来の構成では、一部にカラーを含み残りの部分が白黒であるような原稿を、利用者がモノクロで印刷するつもりがフルカラー印刷をしてしまうという問題も生じる。
【０００６】
本発明は、上記の問題点に鑑みてなされたものであり、その目的は、利用者が原稿をフルカラー印刷をするつもりがないのにフルカラーで印刷したり、利用者がモノクロ印刷をするつもりがないのにモノクロで印刷をしたりすることを防止することが可能な印刷装置を実現することにある。
【課題を解決するための手段】
【０００７】
本発明に係る画像処理装置は、上記課題を解決するために、画像読取装置にて原稿の画像をカラーとして読み取ることにより得られたカラー画像データから、画像印刷ジョブ、画像送信ジョブ、画像ファイリングジョブのうちのいずれかのジョブで取り扱われる出力画像データを生成して当該ジョブを実行するジョブ装置に出力する出力制御手段を備えた画像処理装置であって、上記カラー画像データがカラー原稿を表わすかモノクロ原稿を表わすかを判定するカラーモノクロ判定手段を備え、上記出力制御手段は、指示されたカラー設定がカラーで出力する設定の場合において上記カラー画像データがモノクロ原稿を表わすと上記カラーモノクロ判定手段が判定したとき、または上記カラー設定がモノクロで出力する設定の場合において上記カラー画像データがカラー原稿を表わすと判定したときに、その旨を通知するための情報を出力装置に出力することを特徴としている。
【０００８】
上記の構成によれば、画像処理装置は、画像読取装置にて読み取られた原稿を表わすカラー画像データが、カラー原稿を表わすかモノクロ原稿を表わすかを判定する。そして、画像処理装置は、カラー設定がカラーで出力する設定の場合においてカラー画像データがモノクロ原稿を表わすと判定したときにモノクロ原稿を読み取った旨を通知し、カラー設定がモノクロで出力する設定の場合においてカラー画像データがカラー原稿を表わすと判定したときに、カラー原稿を読み取った旨を通知するための情報を出力装置に出力する。
【０００９】
従って、画像処理装置は、カラー設定がカラーで出力する設定であるにもかかわらずモノクロ原稿を読み取ったり、カラー設定がモノクロで出力する設定であるにもかかわらずカラー原稿を読み取ったりしたときに、出力装置を介してそのことを利用者に知覚させる。
【００１０】
これにより、画像処理装置は、利用者が原稿をフルカラー印刷するつもりがないのにフルカラーで印刷したり、利用者がモノクロ印刷するつもりがないのにモノクロで印刷をしたりすることを防止することができるという効果を奏する。
【００１１】
本発明に係る画像処理方法は、上記課題を解決するために、画像読取装置にて原稿の画像をカラーとして読み取ることにより得られたカラー画像データから、画像印刷ジョブ、画像送信ジョブ、画像ファイリングジョブのうちのいずれかのジョブで取り扱われる出力画像データを生成して当該ジョブを実行するジョブ装置に出力する出力制御工程を含んだ画像処理方法であって、上記カラー画像データがカラー原稿を表わすかモノクロ原稿を表わすかを判定するカラーモノクロ判定工程を含み、上記カラーモノクロ判定工程において、指示されたカラー設定がカラーで出力する設定の場合において上記カラー画像データがモノクロ原稿を表わすと判定されたとき、または上記カラー設定がモノクロで出力する設定の場合において上記カラー画像データがカラー原稿を表わすと判定されたときに、上記出力制御工程においてその旨を通知するための情報を出力装置に出力することを特徴としている。
【００１２】
上記の構成によれば、本発明に係る画像処理方法は、本発明に係る画像処理装置と同様の作用効果を奏する。
【００１３】
本発明に係る画像処理装置は、上記カラー画像データに含まれている有彩色の画素の数を算出する有彩画素数算出手段をさらに備え、上記出力制御手段は、上記カラー設定がカラーで出力する設定の場合において、上記カラー画像データがカラー原稿を表わすと上記カラーモノクロ判定手段が判定し、かつ、上記有彩画素数算出手段が算出した有彩色の画素の数が第１の閾値未満であるときに、その旨を通知するための情報を上記出力装置に出力することが望ましい。
【００１４】
上記の構成によれば、画像処理装置は、上記カラー設定がカラーで出力する設定の場合であって上記カラー画像データがカラー原稿を表わすと上記カラーモノクロ判定手段が判定し、かつ、カラー画像データに含まれている有彩色の画素の数が第１の閾値未満であるときに、その旨を示す情報を出力装置に出力する。
【００１５】
従って、画像処理装置は、カラー設定がカラーで出力する設定である場合、一部に有彩色を含むが残りの部分が無彩色であるカラー原稿を読み取ったときに、出力装置を介してそのことを利用者に知覚させる。
【００１６】
これにより、画像処理装置は、一部にカラーを含み残りの部分が白黒であるような原稿を、利用者がモノクロで印刷するつもりがフルカラー印刷をしてしまうことを防止することができるという効果を奏する。
【００１７】
本発明に係る画像処理装置は、上記カラーモノクロ判定手段が、上記カラー画像データに含まれている有彩色の画素の数が上記第１の閾値より小さい第２の閾値以上であるか否かに基づいて、上記カラー画像データがカラー原稿を表わすかモノクロ原稿を表わすかを判定することが望ましい。
【００１８】
上記出力制御手段は、上記出力画像データとは別に、上記カラー画像データから、画像表示装置で表示するための上記カラー設定に従った表示用画像データを生成し、当該画像表示装置に出力することが望ましい。
【００１９】
上記の構成によれば、ジョブ装置で出力される画像を画像表示装置で確認することができる。そのため、利用者は、画像表示装置で表示される画像を確認することにより、カラー設定の変更の要否を判断することができる。例えば、カラー原稿であることを把握している利用者がモノクロモードを最初に選択していたが、画像表示装置に表示された画像を見て、カラーの方が好ましいと判断した場合、その時点で容易にカラー設定を変更することができる。
【００２０】
本発明の画像処理装置は、上記カラー設定がカラーで出力する設定の場合でおいて上記カラー画像データがモノクロ原稿を表わすと上記カラーモノクロ判定手段が判定したときに上記カラー設定を変更する旨の指示を受け付けると、上記カラー設定をモノクロで出力する設定に変更し、上記カラー設定がモノクロで出力する設定の場合において上記カラー画像データがカラー原稿を表わすと上記カラーモノクロ判定手段が判定したときに上記指示を受け付けると、上記カラー設定をカラーで出力する設定に変更するカラー設定変更手段をさらに備えていることが望ましい。
【００２１】
上記の構成によれば、画像処理装置は、カラー設定がカラーで出力する設定の場合にカラー画像データがモノクロ原稿である判定すると、出力装置を介してモノクロ原稿を読み取ったことを利用者に知覚させ、利用者からカラー設定の変更指示を受け付けるとカラー設定をモノクロで出力する設定に変更する。同様に、画像処理装置は、カラー設定がモノクロで出力する設定の場合にカラー画像データがカラー原稿である判定すると、出力装置を介してカラー原稿を読み取ったことを利用者に知覚させ、利用者からカラー設定の変更指示を受け付けるとカラー設定をカラー出力する設定に変更する。
【００２２】
従って、画像処理装置は、カラー設定の設定内容を利用者に選択させることなく、カラー設定を変更するので、カラー設定を変更する手間を低減させることができるというさらなる効果を奏する。
【００２３】
本発明の画像処理装置において、上記出力制御手段は、上記カラー設定がカラーで出力する設定の場合において上記カラー画像データがモノクロ原稿を表わすと上記カラーモノクロ判定手段が判定したときに、上記カラー設定をモノクロで出力する設定に変更する指示の入力を促すための情報を上記出力装置に出力し、上記カラー設定がモノクロで出力する設定の場合に上記カラー画像データがカラー原稿を表わすと上記カラーモノクロ判定手段が判定したときに、上記カラー設定をカラーで出力する設定に変更する指示の入力を促すための情報を上記出力装置に出力することが望ましい。
【００２４】
上記の構成によれば、利用者は、カラー設定がカラーで出力する設定の場合においてカラー画像データがモノクロ原稿を表わすときに、カラー設定をモノクロで出力する設定に変更する指示の入力を促すための情報を出力装置から受けることができる。同様に、利用者は、カラー設定がモノクロで出力する設定の場合にカラー画像データがカラー原稿を表わすときに、カラー設定をカラーで出力する設定に変更する指示の入力を促すための情報を出力装置から受けることができる。これにより、利用者がカラー設定について誤った変更指示を入力することを防止でき、利用者の操作性を向上させることができるという効果を奏する。
【００２５】
また、本発明は、上記画像処理装置、画像読取装置、および出力装置を備えた画像読取処理装置であってもよいし、上記画像処理装置およびジョブ装置を有し、上記ジョブ装置が印刷装置である画像形成装置であってもよい。
【００２６】
なお、上記画像処理装置は、コンピュータによって実現してもよい。この場合、コンピュータを上記各手段として動作させることにより上記画像処理装置をコンピュータにおいて実現する画像処理プログラム、およびその画像処理プログラムを記録したコンピュータ読み取り可能な記録媒体も、本発明の範疇に入る。
【発明の効果】
【００２７】
本発明に係る画像処理装置は、以上のように、画像読取装置にて原稿の画像をカラーとして読み取ることにより得られたカラー画像データから、画像印刷ジョブ、画像送信ジョブ、画像ファイリングジョブのうちのいずれかのジョブで取り扱われる出力画像データを生成して当該ジョブを実行するジョブ装置に出力する出力制御手段を備えた画像処理装置であって、上記カラー画像データがカラー原稿を表わすかモノクロ原稿を表わすかを判定するカラーモノクロ判定手段を備え、上記出力制御手段は、指示されたカラー設定がカラーで出力する設定の場合に上記カラー画像データがモノクロ原稿を表わすと上記カラーモノクロ判定手段が判定した場合、または上記カラー設定がモノクロで出力する設定の場合に上記カラー画像データがカラー原稿を表わすと判定した場合に、その旨を通知するための情報を出力装置に出力する。
【００２８】
従って、本発明に係る画像処理装置は、利用者が原稿をフルカラー印刷するつもりがないのにフルカラーで印刷したり、利用者がモノクロ印刷するつもりがないのにモノクロで印刷をしたりすることを防止することができるという効果を奏する。
【図面の簡単な説明】
【００２９】
【図１】本実施形態の画像形成装置を示したブロック図であり、コピアモード且つフルカラーモードにてプレビュー表示処理を行う際の画像データの流れを示したブロック図である。
【図２】（ａ）は、コピアモード且つシングルカラーモードにてプレビュー表示が行われる際の画像処理装置内の一部を示したブロック図であり、（ｂ）は、コピアモード且つ２色カラーモードにてプレビュー表示が行われる際の画像処理装置内の一部を示したブロック図である。
【図３】本実施形態の画像形成装置が備える原稿種別自動判別部を示したブロック図である。
【図４】本実施形態の画像形成装置を示したブロック図であり、コピアモード且つフルカラーモードにて印刷処理を行う際の画像データの流れを示したブロック図である。
【図５】（ａ）は、コピアモード且つシングルカラーモードにて印刷処理が行われる際の画像処理装置内の一部を示したブロック図であり、（ｂ）は、コピアモード且つ２色カラーモードにて印刷処理が行われる際の画像処理装置内の一部を示したブロック図である。
【図６】（ａ）は、画像表示装置の表示特性に応じたガンマ曲線の一例を示した図である。（ｂ）は、文字をくっきりと表示させるためのガンマ曲線を実線で示し、画像表示装置の表示特性に応じたガンマ曲線を破線で示した図である。
【図７】コピアモード且つフルカラーモードが選択されている場合の画像形成装置の処理手順を示したフローチャートである。
【図８】本実施形態の画像形成装置を示したブロック図であり、ファクシミリ送信モードにて送信処理を行う際の画像データの流れを示した図である。
【図９】本実施形態の画像形成装置を示したブロック図であり、ファクシミリ送信モードにてプレビュー表示処理を行う際の画像データの流れを示した図である。
【図１０】本実施形態の画像形成装置を示したブロック図であり、ファクシミリ受信モードにて印刷処理を行う際の画像データの流れを示した図である。
【図１１】本実施形態の画像形成装置を示したブロック図であり、ファクシミリ受信モードにてプレビュー表示処理を行う際の画像データの流れを示した図である。
【図１２】本実施形態の画像形成装置の変形例を示したブロック図である。
【図１３】コピアモードにおいてプレビュー表示の指示を行うための画面を示した図である。
【図１４】コピアモードかつモノクロモードでカラー原稿をプレビュー表示した場合のプレビュー表示画面を示した図である。
【図１５】濃度、原稿種別処理モード、カラーモード、特別機能から設定する項目を選択するための画面を示した図である。
【図１６】コピアモードにおいて、カラー設定として設定可能なモードを選択するためのカラー設定選択画面を示した図である。
【図１７】イメージ送信モードにおいて、カラー設定として設定可能なモードを選択するための画面を示した図である。
【図１８】コピアモードにおいて、カラー設定をモノクロモードから自動カラー選択モードに変更するか否かを選択するための画面を示した図である。
【図１９】コピアモードにおいて、カラー設定を自動カラー選択モードに変更した後におけるカラー設定選択画面を示した図である。
【図２０】コピアモードにおける再プレビュー表示時のプレビュー確認画面を示した図である。
【図２１】図１４に示す画面で「Ｎｏ」が選択されたときに、カラー設定を自動カラー選択モードに変更した旨のメッセージが表示されることを示す図である。
【図２２】白黒と表示されたボタンの押下によりカラー設定を自動カラー選択モードに変更することが可能であることを示す図である。
【図２３】白黒と表示されたボタンが押下されたときに、自動カラー選択モードに変更するか否かを利用者に確認する画面を示した図である。
【図２４】白黒と表示されたボタンが押下されたときに表示されるカラー設定として設定可能なモードを選択するための画面を示した図である。
【発明を実施するための形態】
【００３０】
本発明の画像形成装置の一形態について図に基づいて説明する。図１は、本実施形態の画像形成装置１００の概略構成を示すブロック図である。
【００３１】
本実施形態の画像形成装置１００は、コピアモード・プリントモード・ファクシミリ送信モード・ファクシミリ受信モード・イメージ送信モードの中からいずれかのモードが選択されると、選択されたモードを実行するデジタルカラー複合機である。
【００３２】
コピアモード（複写モード）とは、画像データを読み込み（原稿を読み取って画像データを生成し）、この画像データの画像を用紙に印刷するモードを意味する。また、プリントモードとは、画像形成装置１００に接続されている端末装置から送られてくる画像データの画像を用紙に印刷するモードを意味する。ファクシミリ送信モードとは、原稿を読み取って得られる画像データを電話回線によって外部装置に送信する通常のファクシミリモードと、前記画像データをメールに添付してインターネットによって送信するインターネットファクシミリモードとを意味する。ファクシミリ受信モードとは、外部装置から画像データをファクシミリにて受信し、受信した画像データの画像を用紙に印刷するモードを意味する。イメージ送信モードとは、（１）原稿を読み取って生成した画像データを電子メールに添付して指定されたアドレスへ送信するモード（scan to e-mailモード）、（２）原稿を読み取って生成した画像データを利用者により指定されたフォルダに送信するモード（scan to ftpモード）、（３）原稿を読み取って生成した画像データを画像形成装置１００に装着されたＵＳＢメモリなどに送信するモード（scan to usbモード）を意味する。なお、本実施形態においては、画像処理の動作上から、ファクシミリ送信モードとイメージ送信モードとを上記のように分類している。
【００３３】
また、利用者は、モノクロ画像を出力するモノクロモード，フルカラーの画像を出力するフルカラーモード，利用者の所望する１色のみからなる単色画像を出力するシングルカラーモード，利用者の所望する１色と黒色とからなる２色画像を出力する２色カラーモードのいずれかをカラー設定として選択できるようになっている。
【００３４】
例えば、コピアモードまたはプリントモードにおいて、利用者がシングルカラーモードを選択した場合、上記単色画像が印刷されることになる。また、コピアモードまたはプリントモードにおいて、利用者が２色カラーモードを選択した場合、上記２色画像の画像データが印刷される。なお、シングルカラーモードまたは２色カラーモードでは、利用者は、Ｒ（赤），Ｇ（緑），Ｂ（青），Ｃ（シアン），Ｍ（マゼンタ），Ｙ（イエロー）の中から所望の色を１つ選択することになる。
【００３５】
また、本実施形態では、自動カラー選択モードを設定することが可能である。この自動カラー選択モードが設定されている場合、画像形成装置１００は、複写対象がカラー原稿かモノクロ原稿であるかを判別する自動カラー選択（ＡＣＳ）処理を行い、カラー原稿と判別される場合は上記のフルカラーモードで出力処理を行い、モノクロ原稿と判別される場合は上記のモノクロモードで出力処理を行うようになっている。
【００３６】
画像形成装置１００は、図１に示されるように、画像入力装置１０１、画像処理装置１０２、画像出力装置１０３、画像表示装置１０４、受信装置１０５、送信装置１０６、記憶装置１０７、制御部１０８を有している。
【００３７】
画像入力装置１０１は、コピアモード、ファクシミリ送信モード、イメージ送信モードにおいて、原稿を読み取り画像データを生成する画像読取手段である。より具体的に説明すると、画像入力装置１０１は、ＣＣＤ（Charge Coupled Device）を備えたスキャナ部を有し、原稿から反射してきた光を、ＲＧＢに色分解された電気信号（アナログの画像信号）に変換し、この電気信号を画像処理装置１０２に入力するものである。
【００３８】
なお、画像入力装置１０１は、上記のフルカラーモード，シングルカラーモード，２色カラーモードのいずれのモードが選択されている場合であっても、フルカラーにて原稿画像の読み取りを行う。また、画像入力装置１０１は、画像処理装置１０２において前述した自動カラー選択処理が行われる場合であってもフルカラーにて原稿画像の読み取りを行う。
【００３９】
画像処理装置１０２は、画像データ（画像信号）に対して画像処理を施す集積回路であり、ＡＳＩＣ（Application specific integrated circuit）から構成されるものである
。この画像処理装置１０２は、図１に示すように、Ａ/Ｄ（アナログ/デジタル）変換部２、シェーディング補正部３、入力処理部４、原稿種別自動判別部５、領域分離処理部６、圧縮部７、領域分離信号圧縮部８、復号部９、領域分離信号復号部１０、画質調整部１１、２色化処理部１２、色補正部１３、黒生成／下色除去部１４、空間フィルタ部１５、変倍部１６、出力階調補正部１７、中間調生成部１８の各ブロックを有している。画像処理装置１０２に含まれる各ブロックの処理内容については後で詳述する。
【００４０】
なお、画像処理装置１０２は、コピアモード、ファクシミリ送信モード、イメージ送信モードにおいて、画像入力装置１０１から送られてきた画像データに画像処理を行い、プリントモードにおいて、端末装置から送信されてきた画像データに画像処理を行い、ファクシミリ受信モードにおいて、外部装置から受信した画像データに画像処理を行うようになっている。そして、画像処理装置１０２は、コピアモード、プリントモード、ファクシミリ受信モードにおいて、画像処理を施した画像データを画像出力装置１０３に送信し、ファクシミリ送信モードにおいて、画像処理を施した画像データを送信装置１０６に送信するようになっている。また、画像処理装置１０２は、イメージ送信モードのscan to e-mailモードにおいて、画像処理を施した画像データをメール処理部（不図示）に送信し、scan to ftpモードにおいて、画像処理を施した画像データを所定のフォルダに送信し、scan to usbモードにおいて、画像処理を施した画像データを所定のＵＳＢメモリに送信するようになっている。
【００４１】
画像出力装置（プリンタ）１０３は、画像処理装置１０２から送られてきた画像データの画像を記録媒体（例えば紙等）上に印刷（形成）するものであり、例えば、電子写真方式またはインクジェット方式を用いたカラープリンタを挙げることができる。なお、本実施形態においての「印刷」とは、プリントモードにおける印刷、コピアモードでの印刷、ファクシミリ受信モードでの印刷のいずれかを意味する。
【００４２】
画像表示装置１０４は、画像形成装置１００の操作パネル（不図示）に備えられている液晶ディスプレイであり、カラー画像の表示が可能な表示手段である。また、画像表示装置１０４は、タッチパネルに覆われており、画像形成装置１００の入力インターフェイスとしての機能を有している。つまり、画像表示装置１０４には、画像形成装置１００に対して各種コマンドの入力を行うためのＧＵＩ（グラフィカルユーザインターフェイス）や操作ガイドが表示される。
【００４３】
また、本実施形態の画像形成装置１００では、コピアモードまたはファクシミリ受信モードにおいて、印刷実行前に、印刷対象となる画像のプレビューを画像表示装置１０４に表示することが可能になっている。さらに、本実施形態の画像形成装置１００では、ファクシミリ送信モードまたはイメージ送信モードにおける送信実行前において、送信対象となる画像のプレビューを画像表示装置１０４に表示することが可能になっている。
【００４４】
また、コピアモード、ファクシミリ送信モード、またはイメージ送信モードにおいて、フルカラーモードが選択されている場合はフルカラー画像のプレビューが表示され、シングルカラーモードが選択されている場合は単色画像のプレビューが表示され、２色カラーモードが選択されている場合は２色画像のプレビューが表示されるようになっている。
【００４５】
なお、画像表示装置１０４は、液晶ディスプレイに限定されるものではなく、液晶ディスプレイ以外の表示手段（例えば、有機ＥＬディスプレイ、プラズマディスプレイ等）であってもよい。
【００４６】
受信装置１０５は、電話回線またはインターネットに接続しており、ファクシミリ通信によって外部装置から画像データを受信する装置である。また、送信装置１０６は、電話回線またはインターネットに接続しており、画像入力装置１０１にて入力された画像データをファクシミリ通信によって外部装置へ送信する装置である。
【００４７】
記憶装置１０７は、画像処理装置１０２にて扱われる画像データを一旦保存するためのハードディスクである。
【００４８】
制御部１０８は、ＣＰＵ（Central Processing Unit）あるいはＤＳＰ（Digital Signal Processor）等のプロセッサを含むコンピュータであり、画像形成装置１００に備えられる各種ハードウェアを統括的に制御するものである。また、制御部１０８は、画像形成装置１００に備えられる各ハードウェア間のデータ転送を制御する機能も有する。なお、図１において、制御部１０８は、画像処理装置１０２の外部の構成として示しているが、画像処理装置１０２内の構成として備えられていてもよい。
【００４９】
本実施形態の画像形成装置１００では、制御部１０８は、コピアモード、ファクシミリ送信モード、ファクシミリ受信モード、イメージ送信モードの各モードのジョブ実行指示を利用者から受け付け、当該実行指示に従って、処理を開始する。そして、制御部１０８は、コピアモード、ファクシミリ送信モード、イメージ送信モードの何れかのジョブ実行指示を受け付ける際に、出力される画像についてのカラー設定の入力を受け付ける。ここで、カラー設定とは、上述したように、モノクロモード，フルカラーモード，シングルカラーモード，２色カラーモード、自動カラー選択モードがある。
【００５０】
ただし、本実施形態に係る画像形成装置１００では、コピアモード、ファクシミリ送信モード、またはイメージ送信モードにおいて、制御部１０８は、ジョブ実行指示とともに受け付けたカラー設定と画像入力装置１０１から送られてきた画像が表わす原稿のカラーモノクロの種別が異なる場合、または、一部にカラーが含まれ、残りの部分が白黒であるようなカラー原稿を上記画像が表わす場合には、その旨を画像表示装置１０４に表示する。
【００５１】
つぎに、コピアモード、ファクシミリ送信モード、ファクシミリ受信モード、イメージ送信モードの各モードにおいて、画像処理装置１０２の各ブロックにて実行される処理の内容を詳細に説明する。なお、本実施形態の画像処理装置１０２には、或るモードａが選択されている時は動作する一方で前記モードａとは異なるモードｂが選択されている時は動作しないようなブロックが存在する（モードａ、モードｂは、コピアモード、ファクシミリ送信モード、ファクシミリ受信モード、イメージ送信モードのいずれかである）。また、画像処理装置１０２には、選択されているモードに応じて処理内容を変更するブロックも存在する。さらに、画像処理装置１０２には、選択されているモードが同じであっても、印刷用（送信用）の画像データの処理時は動作する一方でプレビュー用の画像データの処理時は動作しないようなブロックや、印刷用（送信用）の画像データの処理時とプレビュー用の画像データの処理時とで処理内容を変更するブロックが存在する。そこで、以下では、画像処理装置１０２に含まれる各ブロックにて実行される処理の内容について、モード別に説明すると共に、印刷処理時（または送信処理時）とプレビュー表示時とで分けて説明する。
【００５２】
（１）コピアモード
（１−１）プレビュー表示時
以下では、図１に基づいて画像処理装置１０２について説明するが、図１はコピアモード且つフルカラーモードにてプレビュー表示処理を行う際における画像処理装置１０２内の画像データの流れを示したものである。従って、以下では主にフルカラーモード時における画像処理装置１０２について説明するが、画像処理装置１０２を構成する一部の部材についてカラー設定がフルカラーモード以外に設定されている場合の動作についても説明を行っていることを述べておく。
【００５３】
Ａ／Ｄ（アナログ・デジタル）変換部２は、画像入力装置１０１から送られてきたカラー画像信号（ＲＧＢアナログ信号）をデジタルの画像データ（ＲＧＢデジタル信号）に変換するブロックである。シェーディング補正部３は、Ａ／Ｄ変換部２から送られてきた画像データに対して、画像入力装置１０１の照明系、結像系、撮像系で生じる各種の歪みを取り除く処理を施すブロックである。入力処理部４は、シェーディング補正部３より送られてくるＲＧＢの画像データのそれぞれに対してγ補正処理などの階調変換処理を施すブロックである。
【００５４】
原稿種別自動判別部５は、図３に示すように、カラーモノクロ判定部５１、原稿種別判定部５２、およびブランク原稿判定部５３からなり、入力処理部４にてγ補正等の処理がなされたＲＧＢの画像データ（ＲＧＢの濃度信号）に基づき、画像入力装置１０１にて読み取られた原稿の種別の判定を行う。具体的には、カラーモノクロ判定部５１が、上記画像データに基づき、読み取られた原稿がカラー原稿であるかモノクロ原稿であるかを判別する処理である自動カラー選択処理（ＡＣＳ：Auto Color Selection）を行う。なお、カラーモノクロ判定部５１における具体的な自動カラー選択処理方法については後述する。自動カラー選択処理による判定結果は、カラーモノクロ判定信号として、圧縮部７に出力されるようになっており、判定結果がカラー原稿であると判定された場合には、判定結果とともにＲＧＢの画像データに含まれる有彩色の画素数もあわせて、カラーモノクロ判定信号として、圧縮部７に出力される。
【００５５】
なお、読み取られた原稿が複数頁からなる場合、カラーモノクロ判定部５１は、各頁の画像を表わす画像データに対してカラー／モノクロの判定を行い、ページごとにカラーモノクロ判定信号を圧縮部７に出力する。
【００５６】
また、原稿種別判定部５２が、上記画像データに基づき、文字原稿、印刷写真原稿、文字と印刷写真とが混在した文字印刷写真原稿、印画紙写真原稿、および、文字印画紙写真原稿のうち、読み取られた原稿がいずれの原稿であるかの判別を行う処理である原稿種別判定処理を行う。原稿種別判定処理による判定結果は、原稿種別判定信号として、圧縮部７に出力されるようになっている。
【００５７】
さらに、ブランク原稿判定部５３は、上記画像データに基づき、ブランク原稿であるか否か（無地の原稿であるか否か）を判定する処理であるブランク原稿判定処理も行うことができる。ブランク原稿判定処理による判定結果は、ブランク原稿判定信号として、圧縮部７に出力されるようになっている。
【００５８】
なお、上記原稿種別自動判別部５の動作は、カラー設定として設定されているモードがいずれのモードであるかに拘わらず、実行される。
【００５９】
領域分離処理部６は、原稿種別自動判別部５から送られてくるＲＧＢの画像データに基づき、入力画像の画素毎に、当該画素がどのような画像領域に分類されるのかを判別し、この判別結果を示す領域分離信号を生成する処理を行う。ここで、領域分離処理部６において判別される画像領域には、黒文字領域，色文字領域，網点領域等がある。なお、領域分離処理は、画素毎に画像領域の判定を行う形態ではなく、複数の画素よりなるブロック毎に画像領域の判定が行われる形態であってもよい。
【００６０】
圧縮部７は、原稿種別自動判別部５から送られてくる画像データ（ＲＧＢ信号）を符号化する処理を行うブロックである。なお、上記符号化は、例えばＪＰＥＧ(Joint Photographic Experts Group)方式に基づいて行われる。
【００６１】
領域分離信号圧縮部８は、画素毎に生成された領域分離信号に対して圧縮処理を施すブロックである。なお、領域分離信号圧縮部８における圧縮処理は、例えば、可逆圧縮方法であるＭＭＲ（Modified Modified Reed）方式、ＭＲ（Modified Reed）方式に基づいて
行われる。
【００６２】
制御部１０８は、圧縮部７から出力された符号化コード（符号化された画像データ）と領域分離信号圧縮部８から出力された領域分離信号コード（圧縮された領域分離信号）とカラーモノクロ判定信号として圧縮部７から出力され、カラー判別処理による判定結果および有彩色の画素数を表わすデータとを関連付けて記憶装置１０７に保存し、ファイリングデータとして管理する。なお、原稿が複数頁からなる場合には、頁毎に、画像データとカラーモノクロ判定部５１による判定結果および有彩色の画素数を表わすデータとを関連付けて記憶装置１０７に保存する。
【００６３】
そして、制御部１０８は、プレビュー表示動作が指示された場合、記憶装置１０７から上記の符号化コード、および当該符号化コードに対応する領域分離信号コードを読み出し、復号部９、領域分離信号復号部１０にそれぞれ引き渡す。
【００６４】
なお、制御部１０８は、上記符号化コードの保存アドレスまたはデータ名と、領域分離信号コードの保存アドレスとを対応付けて管理テーブルに記入する。つまり、制御部１０８は、当該管理テーブルを用いて、符号化コードおよび領域分離信号コードの読み出しまたは書き込みの制御を行っている。
【００６５】
さらに、制御部１０８は、記憶部１０７に符号化コードおよび領域分離信号コードと関連づけて保存されているカラーモノクロ判定部５１による判定結果および有彩色の画素数を表わすデータを読み出す。制御部１０８は、判定結果が白黒原稿を示す場合には、白黒原稿を読み取った旨のメッセージを画像表示装置１０４に表示する。また、判定結果がカラー原稿を示す場合であって、有彩色の画素数が所定の閾値（例えば１５０００）未満である場合には、制御部１０８は、カラー原稿を読み取ったがモノクロモードでの印刷が望ましい旨を示すメッセージを画像表示装置１０４に表示する。また、カラー設定がモノクロモードに設定されている場合には、制御部１０８は、判定結果がカラー原稿を示す場合にカラー原稿を読み取った旨のメッセージを画像表示装置１０４に表示する。なお、制御部１０８は、メッセージを画像表示装置１０４に表示する代わりに、画像処理装置１０２に接続された音声出力装置（図示せず）に音声として出力してもよい。
【００６６】
復号部９は、上記符号化コードに対して復号化処理を施すことによって、上記符号化コードをＲＧＢの画像データに伸張する。また、領域分離信号復号部１０は、上記領域分離信号コードに対して復号化処理を施す。復号化した領域分離信号は、黒生成／下色除去部１４、空間フィルタ部１５、中間調生成部１８に引き渡される。そして、黒生成／下色除去部１４、空間フィルタ部１５、中間調生成部１８においては、画像領域の種類に応じて画像処理内容の切替えが行われる。
【００６７】
領域分離信号復号部１０は、図１に示すように、プレビュー表示時において、復号化した領域分離信号を空間フィルタ部１５および出力階調補正部１７に引き渡す。
【００６８】
画質調整部１１は、復号部９から送られてくるＲＧＢの画像データについて、下地の検出を行って下地除去補正を行う。さらに、画質調整部１１は、利用者によって操作パネル（不図示）から入力される設定情報に基づいて、ＲＧＢのバランス（カラー調整、赤み青みといった全体のカラー調整）、明るさ、鮮やかさの調整を行う。
【００６９】
さらに、画質調整部１１は、シングルカラーモードが選択されている場合、ＲＧＢの画像データを、ＲＧＢの補色となるＣＭＹの画像データに変換する処理を行う。ここで、シングルカラーモードにおいてのＲＧＢの画像データからＣＭＹの画像データへの変換処理は、下記の式１を用いることによって実行される。なお、式１における係数ｒ１〜ｒ３は〔表１〕に基づいて定められる。例えば、利用者がシングルカラーモードにおいて所望の色としてシアンを選択している場合、〔表１〕の「Ｃｙａｎ」の欄に属するｒ１〜ｒ３の値が参照され、ｒ１＝１，ｒ２＝０，ｒ３＝０が選択されることになる。
【００７０】
【数１】
2010212813.tif 000003
【００７１】
【表１】
2010212813.tif 000004
【００７２】
つまり、フルカラーモードの場合の画質調整部１１からの出力は、図１に示されるように、ＲＧＢの画像データとなるところ、シングルカラーモードが選択されている場合の画質調整部１１からの出力は、図２（ａ）に示されるように、ＣＭＹの画像データとなる。なお、２色カラーモードが選択されている場合の画質調整部１１からの出力は、図２（ｂ）に示されるように、ＲＧＢの画像データとなる。なお、図２（ａ）は、コピアモード且つシングルカラーモードにてプレビュー表示処理が行われる際の画像処理装置１０２の一部のブロックを示したものであり、図２（ｂ）は、コピアモード且つ２色カラーモードにてプレビュー表示処理が行われる際の画像処理装置１０２の一部のブロックを示したものである。
【００７３】
なお、２色カラーモードが選択されている場合の画質調整部１１からの出力は、図２（ｂ）に示されるように、ＲＧＢの画像データとなる。なお、図２（ａ）は、コピアモード且つシングルカラーモードにて印刷処理が行われる際の画像処理装置１０２の一部のブロックを示したものであり、図２（ｂ）は、コピアモード且つ２色カラーモードにて印刷処理が行われる際の画像処理装置１０２の一部のブロックを示したものである。
【００７４】
また、画質調整部１１にて実行される鮮やかさの調整は、式１のマトリクスのｒ１〜ｒ３およびａ１〜ａ３の各値を変更した上で当該マトリクスを用いることによって実現可能である。それゆえ、上記の鮮やかさの調整と、シングルカラーモードにおける画像データの変換処理（ＲＧＢからＣＭＹへの変換）とについては、マトリクスを共用でき、画像処理回路を共用できる。よって、本実施形態では、上記の鮮やかさの調整と、シングルカラーモードにおける画像データの変換処理とが、同じ処理部（画質調整部１１）で行われるのである。
【００７５】
なお、モノクロモードが選択されている場合、画質調整部１１は、復号部９から送られてくるＲＧＢの画像データをＫの画像データ（グレースケールの濃淡を表わす値からなるデータ）に変換して、Ｋの画像データを２色化処理部１２に出力する。その後、２色化処理部１２、色補正部１３、黒生成／下色除去部１４は、画質調整部１１から出力された画像データをスルーする。
【００７６】
２色化処理部１２は、２色カラーモードが選択されている場合、図２（ｂ）に示すように、画質調整部１１から出力されたＲＧＢの画像データをＣＭＹの画像データに変換する処理を行うブロックである。なお、２色カラーモードにおいてのＲＧＢの画像データからＣＭＹの画像データへの変換処理は、例えば、特開２００７−２８３３６号公報に記載されている〔実施例１〕または〔実施例２〕の手法にて実現できる。
【００７７】
また、２色化処理部１２は、フルカラーモードが選択されている場合、図１に示されるように、画質調整部１１から出力されたＲＧＢの画像データに対して何も処理を行わず、当該画像データをそのまま色補正部１３へ引き渡す（スルーする）。さらに、２色化処理部１２は、シングルカラーモードが選択されている場合、図２（ａ）に示すように、画質調整部１１から出力されたＣＭＹの画像データに対して何も処理を行わず、当該画像データをそのまま色補正部１３へ引き渡す（スルーする）。
【００７８】
色補正部１３は、フルカラーモードにおいて、ＲＧＢの画像データを入力する。なお、ＲＧＢの画像データは、スキャナ（画像入力装置１０１）の色空間に適合しているデータである。そして、色補正部１３は、このＲＧＢの画像データを画像表示装置１０４の色空間に適合するＲ’Ｇ’Ｂ’の画像データへ変換する処理を行う。
【００７９】
つまり、色補正部１３は、スキャナの画像読取特性に適合したＲＧＢの画像データを表示装置の表示特性に適合したＲ’Ｇ’Ｂ’の画像データに変換する処理を行っているのである。なお、ＲＧＢの画像データをＲ’Ｇ’Ｂ’の画像データに変換する処理も、入力値（ＲＧＢ）と出力値（Ｒ’Ｇ’Ｂ’）とを対応付けたＬＵＴを作成し、作成したＬＵＴから出力値をルックアップすることによって実現される。
【００８０】
そして、本実施形態では、フルカラーモードにおいて、後述する印刷処理時のＲＧＢの画像データからＣＭＹＫの画像データへの変換処理と、プレビュー表示時のＲＧＢの画像データからＲ’Ｇ’Ｂ’ の画像データへの変換処理とについて、画像処理回路を共用している。
【００８１】
ここで、図１は、フルカラーモードが選択されている場合の画像形成装置１００を示したものであり、色補正部１３は、フルカラーモードにおいて、ＲＧＢの画像データを入力するようになっている。しかし、シングルカラーモードまたは２色カラーモードでは、図２（ａ）（ｂ）に示すように、色補正部１３はＣＭＹの画像データを入力するようになっている。なお、図２（ａ）は、コピアモード且つシングルカラーモードにてプレビュー表示処理が行われる際の画像処理装置１０２の一部のブロックを示したものであり、図２（ｂ）は、コピアモード且つ２色カラーモードにてプレビュー表示処理が行われる際の画像処理装置１０２の一部のブロックを示したものである。
【００８２】
そして、色補正部１３は、シングルカラーモードまたは２色カラーモードでは、ＣＭＹの画像データをＲ’Ｇ’Ｂ’の画像データに変換する処理を行う。つまり、色補正部１３は、印刷処理の印刷特性に適合したＣＭＹの画像データを表示装置の表示特性に適合したＲ’Ｇ’Ｂ’の画像データに変換する処理を行っているのである。なお、上記の色補正処理は、入力値（ＣＭＹ）と出力値（Ｒ’Ｇ’Ｂ’）とを対応付けたＬＵＴ（ルックアップテーブル）を作成し、作成したＬＵＴから出力値をルックアップすることによって実現される。
【００８３】
黒生成／下色除去部１４は、図１および図２に示すように、シングルカラーモード，２色カラーモード，フルカラーモードのいずれのモードであっても、色補正部１３から出力されたＲ’Ｇ’Ｂ’の画像データに対して何も処理を行わず、当該画像データをそのまま後段の空間フィルタ部１５へ引き渡す（スルーする）。
【００８４】
空間フィルタ部１５は、黒生成／下色除去部１４より出力されたＲ’Ｇ’Ｂ’の画像データに対して、領域分離信号を基にデジタルフィルタによる空間フィルタ処理（強調処理、平滑化処理等）を行っている。つまり、空間フィルタ部１５では、領域分離信号に基づいて、画像領域毎に異なる画像処理が実行される。
【００８５】
変倍部１６は、空間フィルタ部１５から出力されたＲ’Ｇ’Ｂ’の画像データからなる画像の画素数を画像表示装置１０４の画素数に変換する間引き処理（画素数を減少する処理）を行う。画像形成装置１００の操作パネルに備えられる画像表示装置１０４は、印刷を行う画像データの解像度と比較すると低解像度であり、通常、極めて小型のディスプレイである。それゆえ、プレビュー表示時においては、画像データを間引く必要がある。また、変倍部１６では、画像形成装置に備えられる操作パネル（不図示）より入力される変倍コマンド（表示倍率を示す情報、例えば２〜４倍等の固定倍率）に基づいて画像の拡大や縮小処理がなされる。
【００８６】
出力階調補正部１７は、変倍部１６から出力されてきた画像データに対して、領域分離信号を基に出力γ補正処理を行っている。より具体的に説明すると、出力階調補正部１７は、領域分離信号を基に、画像領域に応じて異なるガンマ曲線を選択し、画像領域毎に出力γ補正処理の内容を異ならせている。例えば、文字以外の領域に対しては、画像表示装置１０４の表示特性に応じたガンマ曲線が選択され、文字領域に対しては、文字をくっきりと表示させるためのガンマ曲線が選択される。ここで、図６（ａ）は、画像表示装置１０４の表示特性に応じたガンマ曲線である。また、図６（ｂ）の実線で示される曲線は文字をくっきりと表示させるためのガンマ曲線である。なお、図６（ｂ）の破線は、画像表示装置１０４の表示特性に応じたガンマ曲線であり、文字をくっきりと表示させるためのガンマ曲線と比較するために図示したものである。
【００８７】
なお、本実施形態では、出力階調補正部１７は、領域分離信号に基づいてガンマ曲線の選択を行っているが、領域分離信号による選択を行わないで図６（ａ）のガンマ曲線のみを用いて出力階調補正を行うようにしても良い。
【００８８】
そして、中間調生成部１８は、出力階調補正部１７から出力されたＲ’Ｇ’Ｂ’の画像データに対して何も処理を行わず、当該画像データをそのまま後段の画像表示装置１０４へ引き渡す（スルーする）。これにより、画像表示装置１０４は、Ｒ’Ｇ’Ｂ’の画像データに基づいて、コピー対象となる画像のプレビューを表示できる。
【００８９】
なお、出力階調補正部１７において実行されている出力γ補正処理は、画質調整部１１にて実行されてもよい。
【００９０】
さらに、コピアモードのプレビュー表示時において、カラー設定がフルカラーモードに設定されているとき、出力処理（印刷処理・表示処理）がフルカラーで行われる事を利用者に認識させるための識別情報（例えば「フルカラー」の文字）を画像表示装置１０４に表示する。一方、画像形成装置１００は、カラー設定がモノクロモードに設定されているとき、出力処理が白黒モードで行われる事を利用者認識させるための識別情報（例えば「白黒」を示す文字）を画像表示装置１０４に表示する。
【００９１】
また、出力処理がフルカラーまたはモノクロで行われる事を利用者に認識させるための識別情報（「フルカラー」または「白黒」の文字）は、図１４に示されるように、プレビュー画像と重ならないように当該プレビュー画像とともに表示される。さらに、プレビュー画像が表示されている状態にて所定のボタン（例えば図１４の仕上がり表示キー）を押すと、識別情報が表示されるような形態であってもよい。
【００９２】
なお、原稿種別自動判別部５にて行われる自動カラー選択処理の手法として、例えば特開平４−２８２９６８号公報に記載されている方法を用いることができる。この方法は、画素毎にカラー画素であるか白黒画素（モノクロ画素）であるかを判別し、所定の順序且つ所定数以上の連続するカラー画素群の存在が検知されると、この連続するカラー画素群をカラーブロックと認識し、１ライン中に所定数以上のカラーブロックが存在していれば、そのラインをカラーラインとして認定する。そして、原稿画像中にカラーラインが所定数存在していれば当該原稿画像をカラー画像と判断し、そうでない場合は白黒画像（モノクロ画像）と判断するものである。
【００９３】
（１−２）印刷処理時（画像印刷ジョブ時）
つぎに、コピアモード且つフルカラーモードにて、印刷対象画像の印刷処理を行う場合に画像処理装置１０２の各ブロックにて実行される処理の内容を図４に基づいて説明する。図４は、図１の画像形成装置１００と同じ画像形成装置１００を示すブロック図であり、コピアモード且つフルカラーモードにて印刷処理を行う際の画像データの流れを示した図である。
【００９４】
なお、Ａ/Ｄ（アナログ/デジタル）変換部２、シェーディング補正部３、入力処理部４、領域分離処理部６、圧縮部７、領域分離信号圧縮部８、復号部９、画質調整部１１、２色化処理部１２の処理については、プレビュー表示処理時と同じであるため、以下ではその説明を省略する。
【００９５】
原稿種別自動判別部５は、入力処理部４にてγ補正等の処理がなされたＲＧＢの画像データ（ＲＧＢの濃度信号）に基づき、画像入力装置１０１にて読み取られた原稿の種別の判定を行う。ここで、判定される原稿の種別としては、文字原稿、印刷写真原稿、文字と印刷写真とが混在した文字印刷写真原稿等がある。また、原稿種別自動判別部５は、上記画像データに基づき、読み取られた原稿がカラー原稿であるか白黒原稿（モノクロ原稿）であるのかの判別を行う処理である自動カラー選択処理（ＡＣＳ：Auto Color Selection）やブランク原稿であるか否か（無地の原稿であるか否か）の判定処理も行うことができる。なお、原稿種別自動判別部５から出力されるＲＧＢの画像データは、領域分離処理部６および圧縮部７に入力するようになっている。
【００９６】
また、原稿種別自動判別部５から出力されるＲＧＢの画像データは、領域分離処理部６および圧縮部７に出力されるようになっている。
【００９７】
画質調整部１１、２色化処理部１２、色補正部１３、黒生成／下色除去部１４は、入力されたカラー設定に従った処理を行うものである。つまり、ジョブ実行指示（ここでは、コピアモードの実行指示）を受け付けた際に指示されたカラー設定から変更指示を受けていない場合には、当該カラー設定に従った処理を行う。一方、ジョブ実行指示（ここでは、コピアモードの実行指示）を受け付けた際に指示されたカラー設定から変更指示を受け付けた場合、色補正部１３は、変更後のカラー設定に従った処理を行う。
【００９８】
なお、各モードにおける画質調整部１１および２色化処理部１２の処理内容は、プレビュー表示のときと同様である。
【００９９】
色補正部１３は、フルカラーモードが選択されている場合、２色化処理部１２から出力されるＲＧＢの画像データをＣＭＹの画像データに変換する色補正処理を行うと共に、当該画像データに対して色再現性を高める処理を施すブロックである。なお、ＲＧＢの画像データをＣＭＹの画像データに変換する処理も、入力値（ＲＧＢ）と出力値（ＣＭＹ）とを対応付けたＬＵＴを作成し、作成したＬＵＴから出力値をルックアップすることによって実現される。
【０１００】
また、色補正部１３は、シングルカラーモードまたは２色カラーモードが選択されている場合、図５（ａ）（ｂ）に示されるように、２色化処理部１２から出力されたＣＭＹの画像データに対して何も処理を行わず、当該画像データをそのまま黒生成／下色除去部１４へ引き渡す（スルーする）。
【０１０１】
さらに、自動カラー選択モードが選択されている場合、画質調整部１１、２色化処理部１２、色補正部１３、黒生成／下色除去部１４は、記憶装置１０７に記録されている判別結果に従った処理を行う。すなわち、判別結果がカラーを示す場合、フルカラーモードに従った処理を行う。一方、判別結果がモノクロを示す場合、モノクロモードに従った処理を行う。
【０１０２】
黒生成／下色除去部１４は、フルカラーモードまたは２色カラーモードが選択されている場合、色補正部１３から出力されたＣＭＹの画像データから黒（Ｋ）の画像データを生成する黒生成を行う一方、元のＣＭＹの画像データから黒（Ｋ）の画像データを差し引いて新たなＣＭＹの画像データを生成する処理を行うブロックである。これにより、フルカラーモードまたは２色カラーモードが選択されている場合、図４および図５（ｂ）に示されるように、ＣＭＹの画像データは黒生成／下色除去部１４によってＣＭＹＫの４色の画像データに変換される。
【０１０３】
また、黒生成／下色除去部１４は、シングルカラーモードが選択されている場合、図５（ａ）に示されるように、色補正部１３から出力されたＣＭＹの画像データに対して何も処理を行わず、当該画像データをそのまま後段の空間フィルタ部１５へ引き渡す（スルーする）。
【０１０４】
なお、フルカラーモードまたは２色カラーモードが選択されている場合、黒生成／下色除去部１４の出力、および、黒生成／下色除去部１４よりも後段の各ブロックの入出力は、図１のように、ＣＭＹＫの画像データとなる。しかし、シングルカラーモードが選択されている場合、黒生成／下色除去部１４の出力、および、黒生成／下色除去部１４よりも後段の各ブロックの入出力は、図４とは異なり、ＣＭＹの画像データとなる。
【０１０５】
空間フィルタ部１５は、黒生成／下色除去部１４より出力されるＣＭＹＫまたはＣＭＹの画像データに対して、領域分離信号（領域識別信号）を基にデジタルフィルタによる空間フィルタ処理（強調処理、平滑化処理等）を行っている。つまり、空間フィルタ部１５では、プレビュー表示処理時と同様、領域分離信号に基づいて、画像領域毎に異なる画像処理が実行される。
【０１０６】
変倍部１６は、操作パネル（不図示）を介して利用者によって入力される変倍コマンド（印刷画像の倍率を示した情報）に基づいて、画像の拡大や縮小処理を行うブロックである。
【０１０７】
出力階調補正部１７は、変倍部１６から出力された画像データに対して、用紙等の記録媒体に出力するための出力γ補正処理を行うブロックである。中間調生成部１８は、誤差拡散法やディザ法を用いて、画像出力装置１０３において画像を印刷するために必要な階調再現処理（中間調生成処理）を実行するものである。
【０１０８】
そして、中間調生成部１８から出力されるＣＭＹＫまたはＣＭＹの画像データは画像出力装置１０３に引き渡され、画像出力装置１０３は、当該画像データの画像を記録媒体（例えば紙等）上に印刷する。
【０１０９】
（１−３）各ブロックの動作/非動作について
以上のように、フルカラーモードの印刷時では、画質調整部１１〜中間調生成部１８のうち、２色化処理部１２は動作しないが、それ以外のブロックは全て動作することになる（図４参照）。これに対し、自動カラー選択モードでカラー原稿と判定された画像のプレビュー表示時やフルカラーモードのプレビュー表示時には、画質調整部１１〜中間調生成部１８のうち、２色化処理部１２と黒生成／下色除去部１４と中間調生成部１８とは動作しないが、それ以外のブロックは全て動作することになる（図１参照）。
【０１１０】
また、２色カラーモードの印刷時では、画質調整部１１〜中間調生成部１８のうち、色補正部１３は動作しないが、それ以外のブロックは全て動作することになる（図５（ｂ）参照）。これに対し、２色カラーモードのプレビュー表示時には、画質調整部１１〜中間調生成部１８のうち、黒生成／下色除去部１４と中間調生成部１８とが動作しないが、それ以外のブロックは全て動作することになる（図２（ｂ）参照）。
【０１１１】
さらに、シングルカラーモードの印刷時では、画質調整部１１〜中間調生成部１８のうち、２色化処理部１２と色補正部１３と黒生成／下色除去部１４とが動作しないが、それ以外のブロックは全て動作することになる（図５（ａ）参照）。これに対し、シングルカラーモードのプレビュー表示時では、画質調整部１１〜中間調生成部１８のうち、２色化処理部１２と黒生成／下色除去部１４と中間調生成部１８とが動作しないが、それ以外のブロックは全て動作することになる（図２（ａ）参照）。
【０１１２】
（１−４）処理手順について
つぎに、コピアモード且つフルカラーモードが選択された場合の処理手順の一例を図７に基づいて説明する。図７は、コピアモード且つフルカラーモードが選択された場合における画像形成装置の処理手順の一例を示したフローチャートである。
【０１１３】
画像形成装置１００は、コピアモードが選択され、スタートキーが押されると（Ｓ１にてＹＥＳ）、原稿をスキャンすることによって（Ｓ２）、ＲＧＢのアナログ信号を生成する。なお、Ｓ１のスタートキーを押す前において、利用者は、プレビュー表示の要否を示す設定情報を入力することにより、画像形成装置１００に対してプレビュー表示の有無を設定しているものとする。
【０１１４】
Ｓ２の後、画像形成装置１００は、ＲＧＢのアナログ信号をＲＧＢの画像データ（デジタルデータ）に変換し（Ｓ３）、上記画像データに対してシェーディング補正を施し（Ｓ４）、シェーディング補正後のＲＧＢの画像データに対して入力γ補正処理を施す（Ｓ５）。
【０１１５】
Ｓ５の後、画像形成装置１００は、「プレビュー表示有」が設定されているか否かを判定し（Ｓ６）、「プレビュー表示有り」が設定されていない場合はＳ７〜Ｓ１６を実行し、「プレビュー表示有」が設定されている場合はＳ１７〜Ｓ２７を実行することになる。以下では、まずＳ７〜Ｓ１６について説明し、その後、Ｓ１７〜Ｓ２７について説明する。
【０１１６】
「プレビュー表示有」が設定されていない場合（Ｓ６においてＮＯ）、画像形成装置１００は、ＲＧＢの画像データに基づいて原稿種別判定および領域分離処理を行い（Ｓ７）、さらに、ＲＧＢの画像データを記憶装置１０７に保存する（Ｓ８）。
【０１１７】
Ｓ８の後、画像形成装置１００は、ＲＧＢの画像データを記憶装置１０７から読み出し、下地除去補正や鮮やかさの調整等の画質調整処理を行う（Ｓ９）。その後、画像形成装置１００は、スキャナの特性に応じたＲＧＢの画像データを、プリンタの特性に応じたＣＭＹの画像データに変換し（Ｓ１０）、さらに、ＣＭＹの画像データをＣＭＹＫの画像データに変換する（Ｓ１１）。その後、画像形成装置１００は、領域分離処理の結果を基にＣＭＹＫの画像データに対して空間フィルタ処理を行い（Ｓ１２）、空間フィルタ処理後のＣＭＹＫの画像データに対して変倍処理を施す（Ｓ１３）。Ｓ１３の後、画像形成装置１００は、ＣＭＹＫの画像データに対して出力γ補正処理および階調再現処理を行い（Ｓ１４，Ｓ１５）、当該画像データの画像を用紙に印刷し（Ｓ１６）、処理を終了する。
【０１１８】
Ｓ６において「プレビュー表示有」が設定されていると判定された場合（Ｓ６においてＹＥＳ）、画像形成装置１００は、ＲＧＢの画像データに基づいて自動カラー選択処理、および領域分離処理を行い（Ｓ１７）、さらに、自動カラー選択処理から出力されたカラーモノクロ判別信号をＲＧＢの画像データと関連付けて記憶装置１０７に保存する（Ｓ１８）。
【０１１９】
そして、画像形成装置１００は、ＲＧＢの画像データを記憶装置１０７から読み出し、Ｓ９の画質調整処理と同じ画質調整処理を行う（Ｓ１９）。その後、画像形成装置１００は、スキャナの特性に応じたＲＧＢの画像データを、表示装置の特性に応じたＲ’Ｇ’Ｂ’の画像データに変換する（Ｓ２０）。Ｓ１８の後、画像形成装置１００は、領域分離処理の結果を基にＲ’Ｇ’Ｂ’の画像データに対して空間フィルタ処理を行い（Ｓ２１）、Ｒ’Ｇ’Ｂ’の画像データがディスプレイの解像度およびサイズに適合するものになるように当該Ｒ’Ｇ’Ｂ’の画像データに対して間引き処理を行う（Ｓ２２）。Ｓ２２の後、画像形成装置１００は、領域分離処理の結果を基に、Ｒ’Ｇ’Ｂ’の画像データに対して出力γ補正処理を行う（Ｓ２３）。Ｓ２３の後、画像形成装置１００は、Ｒ’Ｇ’Ｂ’の画像データに基づいてプレビュー表示を行う（Ｓ２４）。
【０１２０】
このとき、制御部１０８は、記憶部１０７に保存されているカラーモノクロ判定部５１による判定結果が白黒原稿を示す場合には、白黒原稿を読み取った旨のメッセージを画像表示装置１０４に表示する。また、制御部１０８は、判定結果がカラー原稿を示す場合であって、かつ、記憶部１０７に保存されている有彩色の画素数が所定の閾値（例えば１５０００）未満である場合には、カラー原稿を読み取ったがモノクロモードでの印刷が望ましい旨を示すメッセージを画像表示装置１０４に表示する。これにより、利用者は、カラー設定の変更の要否を判断することができる。このメッセージの表示方法については（１−５）で詳細に説明する。なお、カラー設定がモノクロモードに設定されている場合には、制御部１０８は、判定結果がカラー原稿を示す場合にカラー原稿を読み取った旨のメッセージを画像表示装置１０４に表示する。
【０１２１】
そして、Ｓ２４の後、プレビュー表示された画像のカラー設定を変更する旨のコマンドが利用者から入力されると（Ｓ２５においてＹＥＳ）、画像形成装置１００は、記憶装置１０７に記憶されているＲＧＢの画像データ、および自動カラー選択処理による判定結果を表わすデータを読み出し、変更後のカラー設定に応じた再プレビュー表示処理を行い（Ｓ２６）、Ｓ２５の処理に戻る。
【０１２２】
一方、プレビュー表示された画像のカラー設定を変更する旨のコマンドが利用者から入力されず（Ｓ２５においてＮＯ）、プリント許可を示すコマンドが利用者から入力されると（Ｓ２７にてＹＥＳ）、画像形成装置１００は、記憶装置１０７に記憶されているＲＧＢの画像データ、および自動カラー選択処理による判定結果を表わすデータを再度読み出し、これらのデータに基づいて印刷処理を実行する。これに対し、プリント取消を示すコマンドが利用者から入力されると（Ｓ２７にてＮＯ）、画像形成装置１００は処理を終了する。
【０１２３】
（１−５）コピアモードにおける画像表示装置のユーザインターフェース
コピアモードにおいて、利用者がカラー設定をモノクロモードに設定してカラー原稿のプレビュー表示を行い、その後、カラー設定を変更して再プレビュー表示を行う場合のユーザインターフェースの変化（画面遷移）について、図１３〜図１６、図１８、図１９を用いて以下に説明する。
【０１２４】
図１３は、印刷に関する各種設定を行うための画面であり、画像表示装置１０４に表示されているユーザインターフェースを示す図である。「カラーモード」では、カラー設定として、フルカラーモード、自動カラー選択モード、モノクロモード、シングルカラーモード、または、２色カラーモードを選択することができる。また、「プレビュー確認」を選択して、スタートボタンを押下すると、原稿のプレビューが表示され、「プレビュー確認」を選択せずにスタートボタンを押下すると、プレビュー表示が行われずに印刷が行われる。
【０１２５】
図１４は、利用者が図１３のユーザインターフェースで「カラーモード」としてモノクロモードを選択し、「プレビュー確認」を選択し、画像読取装置１０１が読み取った複数の原稿の中に、カラー原稿が含まれていた場合に画像表示装置１０４に表示されるユーザインターフェースを示す図である。
【０１２６】
モノクロモードが設定されているので、原稿種別として「白黒」と表示され、プレビュー画像もモノクロ画像となっている。そして、モノクロモードに設定されているにも拘わらず、画像読取装置１０１によりカラー原稿が読み取られたので、モノクロモードで処理を継続するか否かを示す指示を利用者から受け付けるためのメッセージが表示される。このメッセージに対する利用者の指示として、モノクロモードでの処理を継続しないことを示す指示を受け付け（「Ｎｏ」ボタンが選択され）、その後、「再設定」ボタンが選択されると、図１５のユーザインターフェースが画像表示装置１０４に表示される。
【０１２７】
図１５は、「濃度」「原稿種別処理モード」「カラーモード」「特別機能」について、再設定を行うためのユーザインターフェースであり、「濃度」「原稿種別処理モード」「カラーモード」については現在の設定内容が表示されている。カラー設定を変更するために、利用者が「カラーモード」を選択すると、図１６のユーザインターフェースが画像表示装置１０４に表示される。なお、特別機能は、例えば、２ｉｎ１や４ｉｎ１として出力する場合、または日付、ページ数、スタンプ等を原稿に付加する場合に選択するモードである。
【０１２８】
図１６は、「カラーモード」として、フルカラーモード、自動カラー選択モード、白黒（モノクロ）モード、シングルカラーモード、または、２色カラーモードを選択するためのユーザインターフェースである。ここで、表２に示すように、現在のカラー設定および読み取った各原稿に対するカラーモノクロ判定の結果に応じて、特定のカラー設定のみを選択可能にし、それ以外のカラー設定については、グレーアウト表示にして選択不可能にしてもよい。
【０１２９】
【表２】
2010212813.tif 000005
【０１３０】
なお、表２では、ＡＣＳモードを選択可能にするものとして示した。しかしながら、これに限らず、制御部１０８は、カラー設定がフルカラーモードであり、カラーモノクロ判定の結果が白黒原稿を表わす場合に、カラー設定をモノクロモードに変更する指示の入力を促す画面を画像表示装置１０４に表示させてもよい。例えば、「モノクロモードが最適です。モノクロモードへの変更をお勧めします。」というメッセージを表示してもよいし、モノクロモードのみを選択可能にしてもよい。同様に、カラー設定がモノクロモードであり、カラーモノクロ判定の結果がカラー原稿を表わす場合に、カラー設定をフルカラーモードに変更する指示の入力を促す画面を画像表示装置１０４に表示させてもよい。
【０１３１】
図１６のユーザインターフェースにおいて利用者がいずれかのモード（例えば自動カラー選択モード）を選択すると、図１８に示すように確認画面が表示される。そして、図１８のユーザインターフェースにおいて「Ｙｅｓ」ボタンが選択されると、図１９に示すように「カラーモード」が選択されたモードに更新され、「濃度」「原稿種別処理モード」「カラーモード」「特別機能」について再設定を行うためのユーザインターフェースに戻る。なお、図１９に示すように、「カラーモード」については更新後のモードが強調表示される。特に更新後の「カラーモード」が自動カラー選択モードである場合、更新前にモノクロモードであったときにはカラー原稿であると判別された頁が強調表示され、更新前にフルカラーモードであったときには白黒原稿であると判別された頁が強調表示される。
【０１３２】
そして、図１９のユーザインターフェースにおいて「再プレビュー」が選択されると、図２０に示すように、更新後のカラー設定でプレビュー表示が行われる。
【０１３３】
なお、図１４のユーザインターフェースが表示されているときに「Ｎｏ」ボタンが選択されると、「カラーモード」の変更指示を利用者から受け付けることなく、図２１に示すように自動的にカラー設定を自動カラー選択モードに設定するとともに、自動カラー選択モードを選択した旨を示すメッセージを表示してプレビュー表示してもよい。
【０１３４】
また、図１４のメッセージの代わりに、「原稿にカラー原稿が含まれています。自動モードに切り替えますか？」というメッセージを表示し、「Ｙｅｓ」ボタンが選択されると、図２１に示すように自動的にカラー設定を自動カラー選択モードに設定するとともに、自動カラー選択モードを選択した旨を示すメッセージを表示してプレビュー表示してもよい。
【０１３５】
さらに、図１４にユーザインターフェースが表示されているときに「Ｎｏ」ボタンが選択されると、図２２のユーザインターフェースが表示され、現在のカラー設定を示す「白黒」が選択されると、図２３に示すようにカラー設定をモノクロモードから自動カラー選択モードに変更してもよいか確認するダイアログを表示し、「Ｙｅｓ」ボタンが選択されたときに、自動カラー選択モードでプレビュー表示してもよい。また、図２４に示すように、プレビュー表示の横に、設定可能なカラー設定のモードを利用者に選択させるためのダイアログを表示してもよく、選択前のモードと異なるモードが選択されたときに、図２３のように、カラー設定を現在のモードから選択されたモードに変更してもよいか確認するダイアログを表示してもよい。
【０１３６】
また、図１４のメッセージの代わりに、「原稿にカラー原稿が含まれています。カラーモードを変更しますか？」というメッセージを表示し、「Ｙｅｓ」ボタンが選択されると、記憶装置１０７に記憶されている判別結果（ここでは、カラー原稿）に従ったカラーモード（ここでは、フルカラーモード）に設定変更するとともに、フルカラーモードを選択した旨を示すメッセージを表示してプレビュー表示してもよい。なお、カラーモードとして白黒モードが設定されており、記憶装置１０７に記憶されている判別結果が白黒原稿を示している場合、「原稿に白黒原稿が含まれています。カラーモードを変更しますか？」というメッセージを表示し、「Ｙｅｓ」ボタンが選択されると、記憶装置１０７に記憶されている判別結果（ここでは、白黒原稿）に従ったカラーモード（ここでは、白黒モード）に設定変更するとともに、白黒モードを選択した旨を示すメッセージを表示してプレビュー表示してもよい。
【０１３７】
（２）ファクシミリ送信モード
（２−１）送信処理時（画像送信ジョブ時）
図８は、図１の画像形成装置１００と同じ画像形成装置１００を示すブロック図であり、ファクシミリ送信モードにて白黒モードで送信処理を行う際の画像データの流れを示した図である。なお、Ａ/Ｄ（アナログ/デジタル）変換部２、シェーディング補正部３、入力処理部４、原稿種別自動判別部５、領域分離処理部６、圧縮部７、領域分離信号圧縮部８、復号部９の処理については、コピアモードの場合と同じであるため、以下ではその説明を省略する。
【０１３８】
領域分離信号復号部１０は、ファクシミリ送信モードでは、記憶装置１０７から領域分離信号コードを読み出して復号化し、復号化した領域分離信号を空間フィルタ部１５へ送信する。
【０１３９】
画質調整部１１は、復号部９から出力されたＲＧＢの画像データをＫの画像データ（グレーの濃淡を示す値）に変換する。
【０１４０】
２色化処理部１２、色補正部１３、黒生成／下色除去部１４は、画質調整部１１から出力されたＫの画像データ（信号）に対して何も処理を行わず、このＫの画像データをそのまま後段の空間フィルタ部１５へ引き渡す（スルーする）。
【０１４１】
空間フィルタ部１５は、Ｋの画像データに対して、領域分離信号を基にデジタルフィルタによる空間フィルタ処理（強調処理，平滑化処理等）を行っている。変倍部１６は、送信解像度に応じてＫの画像データに対して変倍処理を行う。出力階調補正部１７は、変倍部１６から出力されたＫの画像データに対して出力γ補正処理（用紙等の記録媒体に出力するためのγ補正）を行う。中間調生成部１８は、例えば誤差拡散法によって、Ｋの画像データを２値化画像データに変換する。そして、２値化画像データは、不図示の回転処理部によって必要に応じて回転処理がなされ、不図示の圧縮／伸張処理部によって所定の形式で圧縮されて、不図示のメモリに格納される。
【０１４２】
その後、送信装置（例えば、モデム）１０６は、相手先との送信手続きを行い送信可能な状態を確保すると、上記メモリに格納されている２値化画像データを所定の形式で圧縮された状態で読み出し、圧縮形式の変更など必要な処理を施し、通信回線を介して当該２値化画像データを相手先に順次送信する。
【０１４３】
（２−２）プレビュー表示時
図９は、図１の画像形成装置１００と同じ画像形成装置１００を示すブロック図であり、ファクシミリ送信モードにてモノクロモードでプレビュー表示処理を行う際の画像データの流れを示した図である。なお、ファクシミリ送信モードにおけるプレビュー表示とは、ファクシミリ送信前において当該ファクシミリ送信する画像のプレビュー表示を行う処理を意味する。以下では主にモノクロモード時における画像処理装置１０２について説明するが、画像処理装置１０２を構成する一部の部材についてカラー設定がモノクロモード以外に設定されている場合の動作についても説明を行っていることを述べておく。
【０１４４】
プレビュー表示時において、Ａ／Ｄ変換部２、シェーディング補正部３、入力処理部４、領域分離処理部６、圧縮部７、領域分離信号圧縮部８、復号部９、領域分離信号復号部１０、画質調整部１１、空間フィルタ部１５の処理は、ファクシミリの送信処理時と同じであるため、その説明を省略する。また、２色化処理部１２、色補正部１３、黒生成／下色除去部１４での処理は、ファクシミリの送信処理時と同じように、スルーされる。
【０１４５】
また、原稿種別自動判別部５の処理は、コピアモードにおいてプレビュー表示時に行う処理と同じであるため、説明を省略する。
【０１４６】
制御部１０８は、プレビュー表示動作が指示された場合、コピアモードにおけるプレビュー表示時と同様に記憶装置１０７から符号化コード、および当該符号化コードに対応する領域分離信号コードを読み出し、復号部９、領域分離信号復号部１０にそれぞれ引き渡す。
【０１４７】
そして、制御部１０８は、記憶部１０７に符号化コードおよび領域分離信号コードと関連づけて保存されているカラーモノクロ判定部５１による判定結果および有彩色の画素数を表わすデータを読み出す。制御部１０８は、判定結果がカラー原稿を示す場合には、カラー原稿を読み取った旨のメッセージを画像表示装置１０４に表示する。なお、カラー設定がフルカラーモードに設定されている場合、制御部１０８は、判定結果が白黒原稿を示す場合に白黒原稿を読み取った旨のメッセージを画像表示装置１０４に表示し、判定結果がカラー原稿を示す場合であって、有彩色の画素数が所定の閾値（例えば１５０００）未満である場合には、制御部１０８は、カラー原稿を読み取ったがモノクロモードでの印刷が望ましい旨を示すメッセージを画像表示装置１０４に表示する。
【０１４８】
そして、プレビュー表示時においては、送信処理時と異なり、図９に示すように、画質調整部１１から画像表示装置１０４に渡って各画素においてＫの画像データを３つ送信するようにしている（全て同一値）。これは、フルカラー仕様である画像表示装置１０４が１画素に対して３つの値（画像データ）を必要とするからである。
【０１４９】
変倍部１６は、空間フィルタ部１５から出力されたＫの画像データからなる画像の画素数が画像表示装置１０４の表示サイズの画素数に適合するように、Ｋの画像データに対して間引き処理を行う。また、変倍部１６では、画像形成装置に備えられる操作パネル（不図示）より入力される変倍コマンド（表示倍率を示す情報、例えば２〜４倍等の固定倍率）に基づいて画像の拡大や縮小処理がなされる。
【０１５０】
出力階調補正部１７は、変倍部１６から出力されたＫの画像データに対して、画像表示装置１０４の表示特性に応じたγ補正を行う。そして、中間調生成部１８は、出力階調補正部１７から出力されたＫの画像データに対して何も処理を行わず、当該Ｋの画像データをそのまま後段の画像表示装置１０４へ引き渡す（スルーする）。これにより、画像表示装置１０４は、Ｋの画像データに基づいて、ファックス送信の対象となる画像のプレビューを表示できる。
【０１５１】
また、ファクシミリ送信モードのプレビュー表示処理時では、画質調整部１１において、ＲＧＢの画像データが３つのＫの画像データに変換される形態となっている。しかし、このような形態に限定されるものではなく、例えば、出力階調補正部１７まではＲＧＢの画像データをＫの画像データに変換することなく画像処理を行い、出力階調補正部１７から出力されたＲＧＢの画像データをブラウザによってＫの画像データに変換するような形態であってもよい。
【０１５２】
（２−３）各ブロックの動作/非動作について
以上のように、ファクシミリ送信モードの送信処理時では、画質調整部１１〜中間調生成部１８のうち、２色化処理部１２、色補正部１３、黒生成／下色除去部１４は動作しないが、それ以外のブロックは全て動作することになる（図８参照）。これに対し、ファクシミリ送信モードのプレビュー表示時では、画質調整部１１〜中間調生成部１８のうち、２色化処理部１２、色補正部１３、黒生成／下色除去部１４、中間調生成部１８は動作しないが、それ以外のブロックは全て動作することになる（図９参照）。
【０１５３】
（２−４）処理手順
つぎに、ファクシミリ送信モードにおける処理手順の一例を説明する。画像形成装置１００において「プレビュー表示有り」の設定がされていない状態で、利用者によってファックス送信コマンドが入力された場合、図５に示されるように画像データが処理され、当該画像データが外部装置へ送信されることになる。
【０１５４】
これに対し、画像形成装置１００において「プレビュー表示有り」の設定がされている状態で、利用者によってファックス送信コマンドが入力された場合、図６に示されるように画像データが処理されることによって、当該画像データが記憶装置１０７に保存され、且つ、当該画像データの画像のプレビューが画像表示装置１０４に表示される。そして、プレビューが表示されている状態において送信許可を示すコマンドが利用者から入力されると、記憶装置１０７の画像データが読み出され、読み出された画像データは図５に示されるように復号部９〜中間調生成部１８によって処理され、送信装置１０６によって外部装置に送信される。
【０１５５】
（３）ファクシミリ受信モード
（３−１）印刷処理時（画像印刷ジョブ時）
図１０は、図１の画像形成装置１００と同じ画像形成装置１００を示すブロック図であり、ファクシミリ受信モードにて印刷処理を行う際の画像データの流れを示した図である。
【０１５６】
ファクシミリを受信する場合、受信装置１０５が、通信手続きを行いながら相手先から送信されてくるＫの画像データ（１ビット）を受信する。そして、受信装置１０５にて受信されたＫの画像データは、圧縮/伸張処理部（不図示）にて伸張処理が施され、回転処理部（不図示）にて必要に応じて回転処理が施され、解像度変換部（不図示）にて必要に応じて解像度変換処理が行なわれる。その後、当該画像データは、一旦、記憶装置１０７に保存される。
【０１５７】
さらに、記憶装置１０７に書き込まれた画像データは、制御部１０８によって画像処理装置１０２の復号部９に引き渡される。復号部９、画質調整部１１、２色化処理部１２、色補正部１３、黒生成／下色除去部１４、空間フィルタ部１５、変倍部１６、出力階調補正部１７および中間調生成部１８は、記憶装置１０７から送られてきた画像データに対して何も処理を行わず、当該画像データをそのまま後段の画像出力装置１０３へ引き渡す（スルーする）。画像出力装置１０３は、中間調生成部１８より送られてきたＫの画像データに基づいて記録媒体（例えば紙等）上に画像を形成する。なお、ファクシミリ受信モードにて印刷処理を行う場合、上記のように画像処理を行わないので、記憶装置１０７に格納されている画像データを直接画像出力装置１０３に出力するようにしても良い。
【０１５８】
（３−２）プレビュー表示時
図１１は、図１の画像形成装置１００と同じ画像形成装置１００を示すブロック図であり、ファクシミリ受信モードにてプレビュー表示処理を行う際の画像データの流れを示した図である。なお、ファクシミリ受信モードにおけるプレビュー表示とは、ファクシミリにて画像データを受信した場合、当該画像データの画像を印刷する前に印刷される画像のプレビュー表示を行う処理を意味する。
【０１５９】
ファクシミリ受信モードにおけるプレビュー表示時においても、ファクシミリ受信モードにおける印刷処理時と同様、記憶装置１０７に書き込まれた画像データは、制御部１０８によって画像処理装置１０２の復号部９に引き渡される。復号部９は、記憶装置１０７から送られてきた画像データに対して何も処理を行わず、不図示のビット数変換処理部に当該画像データを引き渡す（スルーする）。そして、ビット数変換処理部は、復号部９から受け取った画像データのビット数を変換し（例えば１ビットから８ビットへ変換）、ビット数変換された画像データを後段の画質調整部１１へ引き渡す。つまり、図示はしていないものの、図１１において復号部９と画質調整部１１との間にビット数変換処理部が備えられていることになる。
【０１６０】
画質調整部１１は、図１１に示すように、画素毎に、１つのＫの画像データを入力すると、このＫの画像データを３つ生成して出力している（全て同一値）。これは、フルカラー仕様である画像表示装置１０４が１画素に対して３つの値を必要とするからである。
【０１６１】
その後、２色化処理部１２、色補正部１３、黒生成／下色除去部１４は、画質調整部１１から送られてきたＫの画像データに対して何も処理を行わず、当該画像データをそのまま後段の空間フィルタ部１５へ引き渡す（スルーする）。空間フィルタ部１５は、Ｋの画像データに対してデジタルフィルタを用いてぼかし処理等を行う。
【０１６２】
変倍部１６は、空間フィルタ部１５から出力されたＫの画像データからなる画像の画素数が画像表示装置１０４の表示サイズの画素数に適合するように、Ｋの画像データに対して間引き処理を行う。また、変倍部１６では、画像形成装置１００に備えられる操作パネル（不図示）より入力される変倍コマンド（表示倍率を示す情報、例えば２〜４倍等の固定倍率）に基づいて画像の拡大や縮小処理がなされる。
【０１６３】
出力階調補正部１７は、変倍部１６から出力されたＫの画像データに対して、画像表示装置１０４の表示特性に応じた出力γ補正処理を行う。そして、中間調生成部１８は、出力階調補正部１７から出力されたＫの画像データに対して何も処理を行わず、当該画像データをそのまま後段の画像表示装置１０４へ引き渡す（スルーする）。これにより、画像表示装置１０４は、Ｋの画像データに基づいて、ファックス受信された画像のプレビューを表示できる。
【０１６４】
（３−３）各ブロックの動作/非動作について
以上のように、ファクシミリ受信モードの印刷処理時では、画質調整部１１〜中間調生成部１８は動作しない（図１０参照）。これに対し、ファクシミリ受信モードのプレビュー表示時では、画質調整部１１〜中間調生成部１８のうち、２色化処理部１２、色補正部１３、黒生成／下色除去部１４、中間調生成部１８は動作しないが、それ以外のブロックは全て動作することになる（図１１参照）。
【０１６５】
（３−４）処理手順
つぎに、ファクシミリ受信モードの処理手順の一例を説明する。画像形成装置１００においてファクシミリによって画像データが受信された場合、受信された画像データは一旦記憶装置１０７に書き込まれる。ここで、画像データが記憶装置１０７に書き込まれてから画像の印刷が行われるまでにはタイムラグがあるが、このタイムラグ中に利用者から「プレビューコマンド」が入力された場合、上記画像データは図８に示されるような流れで処理され、当該画像データの画像のプレビューが画像表示装置１０４に表示される。また、画像の印刷が行われる際は、図７に示されるような流れで処理され、当該画像データの画像が画像出力装置１０３にて印刷されることになる。
【０１６６】
（４）イメージ送信モード
（４−１）送信処理時（画像送信ジョブ時）
イメージ送信モードにおいて、画像形成装置１００にフルカラーモードで送信処理の動作させる場合、画像入力装置１０１、Ａ/Ｄ（アナログ/デジタル）変換部２、シェーディング補正部３、入力処理部４、原稿種別自動判別部５、領域分離処理部６、圧縮部７、領域分離信号圧縮部８、復号部９の処理内容は、コピアモードの場合と同じである。なお、領域分離信号復号部１０は空間フィルタ部１５および出力階調補正部１７に対して領域分離信号を供給している。
【０１６７】
そして、画質調整部１１にて下色除去やカラーバランス調整が行われ、色補正部１３において、一般に普及している表示装置の表示特性に適合したＲ”Ｇ”Ｂ”の画像データ（例えば、ｓＲＧＢデータ）に変換され、空間フィルタ部１５にて領域分離信号を基にデジタルフィルタによる空間フィルタ処理（強調処理，平滑化処理）が行われている。変倍部１６にて画像の拡大や縮小処理が行われる。また、出力階調補正部１７では、例えば、文字領域に対しては図６（ｂ）のガンマ曲線を用いた補正が行われ、文字以外の領域に対しては図６（ａ）のガンマ曲線を用いた補正が行われる。なお、２色化処理部１２、黒生成／下色除去部１４は、入力される画像データに対して処理を行わず、この画像データをそのまま後段のブロックにスルーする。したがって、出力階調補正部１７から出力されるのはＲ”Ｇ”Ｂ”の画像データである。
【０１６８】
さらに、出力階調補正部１７から出力されるＲ”Ｇ”Ｂ”の画像データは、図示しないフォーマット変換処理部にてＰＤＦファイル等の画像ファイルに変換される。そして、イメージ送信モードのscan to e-mailモードにおいて、当該画像ファイルは図示しないメール処理部（ジョブ装置）にて電子メールに添付され、当該電子メールがネットワークを介して相手先に送信されることになる。また、イメージ送信モードのscan to ftpモードにおいて当該画像ファイルは所定のフォルダに送信され、イメージ送信モードのscan to usbモードにおいて当該画像ファイルは所定のＵＳＢメモリに送信される。
【０１６９】
（４−２）プレビュー表示時
イメージ送信モードのプレビュー表示時にて画像形成装置１００を動作させる場合、画像入力装置１０１、Ａ/Ｄ（アナログ/デジタル）変換部２、シェーディング補正部３、入力処理部４、領域分離処理部６、圧縮部７、領域分離信号圧縮部８、復号部９、領域分離信号復号部１０、２色化処理部１２の処理内容は、イメージ送信モードの送信時と共通である。
【０１７０】
また、原稿種別自動判別部５、および画質調整部１１の処理は、コピアモードにおいてプレビュー表示時に行う処理と同じであるため、説明を省略する。
【０１７１】
そして、イメージ送信モードのプレビュー表示時において、色補正部１３は、ＲＧＢの画像データを画像表示装置１０４の色空間に適合するＲ’Ｇ’Ｂ’の画像データへ変換する処理を行う。
【０１７２】
その後、送信時と同様、空間フィルタ部１５にて領域分離信号を基にデジタルフィルタによる空間フィルタ処理（強調処理，平滑化処理）が行われている。変倍部１６にて画像表示装置１０４のサイズに適合するように間引き処理が行われる。また、出力階調補正部１７では、例えば、文字領域に対しては図６（ｂ）のガンマ曲線を用いた補正が行われ、文字以外の領域に対しては図６（ａ）のガンマ曲線を用いた補正が行われる。
【０１７３】
そして、出力階調補正部１７から出力されるＲ’Ｇ’Ｂ’の画像データは画像表示装置１０４に供給され、画像表示装置１０４はＲ’Ｇ’Ｂ’の画像データに基づいてプレビュー表示を行う。
【０１７４】
なお、原稿種別自動判別部５は、イメージ送信モードの送信処理時およびプレビュー表示時においては、原稿画像がカラー原稿であるかモノクロ原稿であるかを判定するのみならず、モノクロ原稿と判定されたものについてはさらに白黒２値画像（白と黒との２値からなる画像）およびグレースケール画像（階調性を有する画像）のいずれであるかを判定する処理を行ってもよい。この判定処理の手法を以下簡単に説明する。まず、原稿種別自動判別部５は、モノクロ原稿と判定された画像について、白黒画素（モノクロ画素）と判定された全画素を対象に画素値の度数分布を作成する。そして、原稿種別自動判別部５は、この度数分布が主に白のピークと黒のピークとの２つのピークからなる場合は２値画像と判定し、この度数分布がなだらかである場合はグレースケール画像（階調性を有する画像）と判定する。
【０１７５】
さらに、画像形成装置１００は、原稿種別自動判別部５が原稿画像をグレースケール画像と判定した場合、グレースケール画像であることを利用者に認識させるための識別情報（例えば「グレースケール」の文字）を画像表示装置１０４に表示してもよい。これにより、利用者は、送信される原稿がグレースケール画像であることを認識できる。なお、グレースケール画像であることを利用者に認識させるための識別情報は、プレビュー画像と重ならないように当該プレビュー画像とともに表示される。
【０１７６】
（４−３）イメージ送信モードにおける画像表示装置のユーザインターフェース
イメージ送信モードにおいて、利用者がカラー設定を白黒２値モードに設定してカラー原稿のプレビュー表示を行い、その後、カラー設定を変更して再プレビュー表示を行う場合の画面遷移は、コピアモードにおいて、利用者がカラー設定をモノクロモードに設定してカラー原稿のプレビュー表示を行い、その後、カラー設定を変更して再プレビュー表示を行う場合の画面遷移と同様である。
【０１７７】
ただし、イメージ送信モードにおいては、カラー設定は、フルカラーモード、自動カラー選択モード、グレースケールモード、白黒２値モードから選択が可能であるので、カラーモードを選択するためのユーザインターフェースは、図１７に示すユーザインターフェースとなる。
【０１７８】
（５）変形例
図１に示した画像形成装置１００では、圧縮画像データ（符号化コード）と領域分離信号コードとを対応付けて記憶装置１０７に格納している。しかし、図９に示す画像形成装置１００ａのように、画像入力装置１０１にて画像データを読み取った後、領域分離処理および原稿種別判別処理を行う前に、読み取った画像データを符号化して一旦記憶装置１０７に格納しておき、記憶装置１０７から読み出して復号化した画像データについて原稿種別判別処理や領域分離処理を施すように構成しても良い。この場合には、原稿種別判別処理において、原稿の頁毎の画像データと、自動カラー選択処理による「フルカラー」、「モノクロ」の判定結果とが、関連付けて記憶装置１０７に格納され、判別結果が「フルカラー」である場合には、画像データに含まれる有彩色の画素数も併せて画像データと関連づけて記憶装置１０７に記録される。
【０１７９】
また、図１に示した画像形成装置１００は、コピアモード・プリントモード・ファクシミリ送信モード・ファクシミリ受信モード・イメージ送信モード等のジョブの選択中に画像ファイリングモード（画像ファイリングジョブ）を実行可能としてもよい。この画像ファイリングモードとは、コピアモード等のジョブの選択中において、画像入力装置１０１にて得られた画像データまたは外部から受信した画像データに基づいて画像ファイル（ＪＰＥＧ、ＴＩＦＦファイル等）を作成し、この画像ファイルを記憶装置１０７に保存するモードである。
【０１８０】
ここで、画像ファイリングモードのファイリング時において、画像入力装置１０１にて得られた画像データまたは外部から受信した画像データは画像処理装置１０２にて画像ファイル（ＪＰＥＧ、ＴＩＦＦファイル等）に変換され、その後、不図示のファイリング処理部（ジョブ装置）に送られ、このファイリング処理部が上記画像ファイルを記憶装置１０７に保存されるようになっている。
【０１８１】
また、各ジョブ（コピアモード・プリントモード・ファクシミリ送信モード等）の選択中においてプレビューを行う場合、画像ファイリングモードの実行の有無に拘わらず、画像入力装置１０１にて得られた画像データまたは外部から受信した画像データは画像処理装置１０２にて処理され、その後、画像表示装置１０４に送られるようになっている。さらに、各ジョブの選択中においてプレビューを行う場合、画像ファイリングモードの実行の有無に拘わらず、画像処理装置１０２にて実行される画像処理の内容は同一である。例えば、コピアモードのプレビュー表示時、画像ファイリングモードの実行の有無に関係なく、画像処理装置１０２の処理内容は図３に示すものとなる。また、ファクシミリ送信モードのプレビュー表示時、画像ファイリングモードの実行の有無に関係なく、画像処理装置１０２の処理内容は図６に示すものとなる。
【０１８２】
（６）自動カラー選択処理の方法について
原稿種別自動判別部５のカラーモノクロ判定部５１が行う自動カラー選択処理方法について、以下に説明する。
【０１８３】
本実施形態において、カラーモノクロ判定部５１が行う自動カラー選択処理方法としては、有彩であるか無彩であるか判定を行うとともに、有彩と判定された画素を原稿全体で計数し、例えば、有彩画素が７０００以上である場合、カラー原稿であると判定する。上記閾値を、原稿全体に対する有彩画素の割合ではなく、絶対数で用いるのは、サイズの大きいＡ３サイズの原稿においても、一部捺印等された原稿をカラー原稿と判定するためである。なお、有彩無彩の判定方法としては、例えば、画素を構成するＲＧＢの３つのサブピクセルの階調値の最大値と最小値との差を所定の閾値ＴＨａ（例えば、２０）と比較し、最大値と最小値との差が閾値ＴＨａ以上であれば有彩色の画素、閾値未満であれば無彩色の画素と判定する方法が挙げられるが、これに限られるものではない。
【０１８４】
また、上記では、原稿画像に含まれる有彩画素を計数するとともに、計数した有彩画素の数と閾値とを比較することにより、原稿がカラー原稿であるか白黒原稿であるかの判定を行っているが、カラーモノクロ判定部５１が行う自動カラー選択処理方法の別の方法としては、例えば、特開平４−２８２９６８に記載されている原稿の色種判別処理の方法を用いてもよい。この方法は、原稿画像を構成する画素群について画素毎にカラー画素であるかモノクロ画素であるかを判別し、画素群の中に所定数以上の連続するカラー画素の存在することが検知されると、この連続するカラー画素を１つのカラーブロックと認識し、１ライン中に所定数以上のカラーブロックが存在していれば、そのラインをカラーラインとして計数する。そして、原稿画像中にカラーラインが所定数存在していればカラー画像と判断し、そうでない場合はモノクロ画像と判断するものである。原稿画像中にどの程度カラー画素が含まれていれば、カラー原稿と判定するのかにより、カラーブロックであるか否かを判定する基準、および、カラー原稿かモノクロ原稿かを判定するためのカラーラインの数の閾値は適宜設定される。
【０１８５】
（７）本実施形態の画像処理装置の利点について
本実施の形態の画像処理装置１０２は、カラー設定がフルカラーモードの場合に、画像入力装置１０１から送られてきた画像データがモノクロ画像であったり、有彩色の画素数が所定の閾値（例えば１５０００）未満のカラー画像であったりする場合に、その旨を画像表示装置１０４に表示するものである。また、本実施の形態の画像処理装置１０２は、カラー設定がモノクロモードの場合に、画像入力装置１０１から送られてきた画像データがカラー画像であった場合にも、同様に、その旨を画像表示装置１０４に表示する。
【０１８６】
これにより、本実施の形態の画像処理装置１０２は、利用者が原稿をフルカラー印刷するつもりがないのにフルカラーで印刷したり、利用者がモノクロ印刷をするつもりがないのにモノクロで印刷をしたりすることを防止することができるという効果を奏する。
【０１８７】
本実施の形態の画像処理装置１０２は、印刷ジョブ(コピアモード、プリントモード)を行う画像出力装置（ジョブ装置，印刷装置）１０３に対して画像データを供給し、上記印刷ジョブの実行前に画像表示装置１０４にプレビューを表示させるために、上記画像データを画像表示装置１０４に供給するものである。
【０１８８】
そして、画像処理装置１０２は、画像出力装置１０３に供給される画像データに対して実行される第１画像処理と、画像表示装置１０４に供給される画像データに対して実行され且つ第１画像処理とは異なる第２画像処理とを、両画像処理に共通の回路領域を用いて実行する第１画像処理部を含んでいる。ここで、第１画像処理部の一例としては、コピアモード且つフルカラーモードにおける色補正部１３が挙げられる。この色補正部１３においては、ＲＧＢからＣＭＹへの変換処理（第１画像処理）と、ＲＧＢからＲ’Ｇ’Ｂ’への変換処理（第２画像処理）とを共通の回路領域にて行っているからである。
【０１８９】
これにより、印刷処理等用の画像処理のみならず、印刷処理前のプレビュー用の画像処理を行う画像処理装置であっても、画像処理回路の回路規模を抑制できるという効果を奏する。
【０１９０】
また、本実施形態では、コピアモード且つフルカラーモードの印刷時、色補正部１３は、スキャナにて読み取られ且つスキャナの特性に応じた加法混色用の画像データ（ＲＧＢ）を、画像出力装置１０３の特性に応じた減法混色用の画像データ（ＣＭＹ）に変換する処理を行っている。これに対し、コピアモード且つフルカラーモードのプレビュー時、色補正部１３は、スキャナにて読み取られ且つスキャナの特性に応じた加法混色用の画像データ（ＲＧＢ）を、画像表示装置１０４の特性に応じた加法混色用の画像データ（Ｒ’Ｇ’Ｂ’）に変換する処理を行っている。つまり、プレビュー表示時、スキャナの特性に応じた加法混色用の画像データを画像表示装置１０４の特性に応じた加法混色用の画像データに直接変換している。したがって、本実施形態の画像処理装置１０２によれば、コピアモード且つフルカラーモードのプレビュー表示時、ＲＧＢの画像データからＲ’Ｇ’Ｂ’の画像データへの１回の非線形変換を行っているものの、特開平９−１３５３１６号公報の構成のように複数回の非線形変換を行うことがないため、変換誤差の蓄積を抑制でき、色再現性の低下を抑制できる。なお、特開平９−１３５３１６号公報では、ＲＧＢのデータからＣＭＹのデータへの変換、ＣＭＹのデータからＣＭＹＫのデータへの変換、ＣＭＹＫのデータからＣＭＹのデータへの変換、ＣＭＹのデータからＲＧＢのデータへ変換の計４回の変換が行われているため、変換誤差が蓄積され、色再現性が低下してしまう。
【０１９１】
また、本実施形態では、コピアモード且つシングルカラーモードのプレビュー時、または、コピアモード且つ２色カラーモードのプレビュー時、上記非線形変換を行っているものの、非線形変換の回数は２回のみであるため、計４回の非線形変換を行っている特開平９−１３５３１６号公報の構成よりも色再現性の低下を抑制できる。
【０１９２】
さらに、本実施形態では、コピアモード且つフルカラーモードの印刷時、黒生成／下色除去部１４においては、ＣＭＹの画像データをＣＭＹＫの画像データに変換する処理が行われる一方、コピアモード且つフルカラーモードのプレビュー表示時、黒生成／下色除去部１４においては、Ｒ’Ｇ’Ｂ’に対して処理を施さずにそのまま出力している。これにより、ＣＭＹからＣＭＹＫに変換する処理（黒生成／下色除去処理）を行う必要がある印刷用の画像データと、黒生成／下色除去処理を行う必要の無いプレビュー用の画像データとについて、画像処理回路内での画像データの経路を共通にでき、回路構成を簡略化できる。
【０１９３】
なお、本実施形態の画像処理装置１０２においては、原稿種別自動判別部５の判別結果に基づく画像処理,領域分離処理部６の処理結果に基づく画像処理,下地除去処理を行うことが可能であり、これら処理の効果は画像表示装置１０４に表示されるプレビュー画像にも反映される。
【０１９４】
（プログラム、記録媒体）
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
最後に、画像処理装置１０２に含まれている各ブロックは、ハードウェアロジックによって構成すればよい。または、次のように、ＣＰＵ（Ｃｅｎｔｒａｌ  Ｐｒｏｃｅｓｓｉｎｇ  Ｕｎｉｔ）を用いてソフトウェアによって実現してもよい。
【０１９５】
すなわち画像処理装置１０２は、各機能を実現する制御プログラムのプログラムコード（実行形式プログラム、中間コードプログラム、ソースプログラム）をコンピュータで読み取り可能に記録していればよい。画像処理装置１０２（またはＣＰＵやＭＰＵ）が、供給された記録媒体に記録されているプログラムコードを読み出し、実行すればよい。
【０１９６】
プログラムコードを画像処理装置１０２に供給する記録媒体は、たとえば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などとすることができる。
【０１９７】
また、画像処理装置１０２は、通信ネットワークと接続可能に構成しても、本発明の目的を達成できる。この場合、上記のプログラムコードを、通信ネットワークを介して画像処理装置１０２に供給する。この通信ネットワークは、画像処理装置１０２にプログラムコードを供給できるものであればよく、特定の種類または形態に限定されない。たとえば、インターネット、イントラネット、エキストラネット、ＬＡＮ、ＩＳＤＮ、ＶＡＮ、ＣＡＴＶ通信網、移動体通信網、衛星通信網等であればよい。
【０１９８】
この通信ネットワークを構成する伝送媒体も、プログラムコードを伝送可能な任意の媒体であればよく、特定の構成または種類のものに限定されない。たとえば、ＩＥＥＥ１３９４、ＵＳＢ（Ｕｎｉｖｅｒｓａｌ  Ｓｅｒｉａｌ  Ｂｕｓ）、電力線搬送、ケーブルＴＶ回線、電話線、ＡＤＳＬ（Ａｓｙｍｍｅｔｒｉｃ  Ｄｉｇｉｔａｌ  Ｓｕｂｓｃｒｉｂｅｒ  Ｌｉｎｅ）回線などの有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１９９】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０２００】
本発明の画像処理装置は、画像データを取り扱う装置に用いることができるが、複合機、複写機、プリンタ、ファクシミリ装置に特に好適である。
【符号の説明】
【０２０１】
５    原稿種別自動判別部
１１    画質調整部（出力制御手段）
１２    ２色化処理部（出力制御手段）
１３    色補正部（出力制御手段）
１４    黒生成／下色除去部（出力制御手段）
１５    空間フィルタ部（出力制御手段）
１６    変倍部（出力制御手段）
１７    出力階調補正部（出力制御手段）
１８    中間調生成部（出力制御手段）
５１    カラーモノクロ判定部（カラーモノクロ判定手段、有彩画素数算出手段）
１００    画像形成装置
１０１    画像入力装置（画像読取装置）
１０２    画像処理装置
１０３    画像出力装置（ジョブ装置）
１０４    画像表示装置（出力装置）
１０５    受信装置
１０６    送信装置（ジョブ装置）
１０７    記憶装置
１０８    制御部（出力制御手段、カラー設定変更手段）
【図１】
2010212813.tif 000006
【図２】
2010212813.tif 000007
【図３】
2010212813.tif 000008
【図４】
2010212813.tif 000009
【図５】
2010212813.tif 000010
【図６】
2010212813.tif 000011
【図７】
2010212813.tif 000012
【図８】
2010212813.tif 000013
【図９】
2010212813.tif 000014
【図１０】
2010212813.tif 000015
【図１１】
2010212813.tif 000016
【図１２】
2010212813.tif 000017
【図１３】
2010212813.tif 000018
【図１４】
2010212813.tif 000019
【図１５】
2010212813.tif 000020
【図１６】
2010212813.tif 000021
【図１７】
2010212813.tif 000022
【図１８】
2010212813.tif 000023
【図１９】
2010212813.tif 000024
【図２０】
2010212813.tif 000025
【図２１】
2010212813.tif 000026
【図２２】
2010212813.tif 000027
【図２３】
2010212813.tif 000028
【図２４】
2010212813.tif 000029